(57)【要約】  本出願は、少なくとも、ネットワークにおける、ある間隔におけるビームフォーミングトレーニングのために内部に記憶された命令を含む非一時的メモリを備えるネットワーク上の装置に関する。装置はまた、非一時的メモリに動作可能に結合されたプロセッサであって、上記間隔において複数のビームのそれぞれについてのビームフォーミングトレーニング信号およびビーム識別情報を新しい無線ノードから受信する命令を実行することができる、プロセッサを備える。プロセッサはまた、複数のビームのビームフォーミングトレーニング信号に基づいて新しい無線ノードの最適送信ビームを判定する命令を実行するように構成される。プロセッサは、上記間隔における最適送信ビームのビーム識別情報と装置の識別情報とを含む信号を新しい無線ノードに送信する命令を実行するようにさらに構成される。プロセッサは、上記間隔における新しい無線機からの判定に基づくビーム識別情報を含む、装置のための最適送信ビームを新しい無線ノードから受信する命令を実行するようにさらに構成される。
2019528620.tif 000002
【特許請求の範囲】
【請求項１】
ネットワーク上の装置であって、
前記ネットワークにおける、ある間隔におけるアクティブなビームフォーミングトレーニングのために内部に記憶された命令を含む非一時的メモリと、
前記非一時的メモリに動作可能に結合されたプロセッサであって、
前記間隔において複数のビームのそれぞれについてのビームフォーミングトレーニング信号およびビーム識別情報を新しい無線ノードから受信する命令と、
前記複数のビームの前記ビームフォーミングトレーニング信号に基づいて前記新しい無線ノードの最適送信ビームを判定する命令と、
前記間隔における前記最適送信ビームのビーム識別情報と前記装置の識別情報とを含む信号を前記新しい無線ノードに送信する命令と、
前記間隔における前記新しい無線機からの判定に基づくビーム識別情報を含む、前記装置のための最適送信ビームを前記新しい無線ノードから受信する命令と、
を実行することができる、プロセッサと、
を備える、装置。
【請求項２】
受信する、前記命令は、時間および周波数位置で周期的に実行される、請求項１に記載の装置。
【請求項３】
前記プロセッサは、ペアにされたアップリンクチャネルおよびダウンリンクチャネルを介して前記新しい無線ノードと通信する命令を実行するようにさらに構成される、請求項１に記載の装置。
【請求項４】
前記プロセッサは、シンボルのビームを通して前記ビームフォーミングトレーニング信号をスイープする命令を実行するようにさらに構成される、請求項３に記載の装置。
【請求項５】
シンボルごとに複数のビームがスイープされる、請求項４に記載の装置。
【請求項６】
スイープする、前記命令は、アップリンク共通チャネル上で実行される、請求項４に記載の装置。
【請求項７】
送信する、前記命令は、前記アップリンク共通チャネル上で実行される、請求項６に記載の装置。
【請求項８】
前記ビームフォーミングトレーニングの前記間隔は、アップリンク共通チャネルに先行するガード時間を含む、請求項１に記載の装置。
【請求項９】
前記間隔は、１対１ビームフォーミングトレーニングを示すダウンリンク制御情報を含む、請求項８に記載の装置。
【請求項１０】
前記ダウンリンク制御情報は、前記ガード時間に先行する、請求項９に記載の装置。
【請求項１１】
前記ダウンリンク制御情報は、前記装置の前記識別情報、スイープするビームの数、前記ビームの前記識別情報、前記新しい無線ノードのためのビームスイーピングパターン、アップリンク専用リソース、グループＩＤ、ビームトレーニング参照信号送信パターン、ダウンリンクリソース、およびこれらの組み合わせから選択される、請求項９に記載の装置。
【請求項１２】
ネットワーク上の装置であって、
ｎｅｗ  ｒａｄｉｏにおけるアップリンク信号リソース割り当てのために内部に記憶された命令を含む非一時的メモリと、
前記非一時的メモリに動作可能に結合されたプロセッサであって、
前記ネットワーク上のゾーンから、前記ゾーン内の複数のノードのアップリンク信号リソース割り当てを含むシステム情報を受信する命令と、
前記受信したシステム情報に基づいてアップリンク信号を構成する命令と、
前記構成されたアップリンク信号を前記ゾーン内の前記複数のノードに送信する命令と、
前記ネットワーク上のルータによって選択された前記複数のノードのうちの１つ以上から、ネットワークフィードバックを含むページングメッセージを受信する命令と、
を実行することができる、プロセッサと、
を備える、装置。
【請求項１３】
前記装置は前記ゾーン内にあり、
前記ネットワークフィードバックは、前記装置が前記ゾーンから前記ネットワーク内の別のゾーンに移動するはずであることを示す、請求項１２に記載の装置。
【請求項１４】
前記プロセッサは、前記他のゾーンから、前記ゾーン内の複数のノードのアップリンク信号リソース割り当てを含むシステム情報を受信する命令をさらに実行することができる、請求項１３に記載の装置。
【請求項１５】
前記プロセッサは、
前記ゾーン内の１つ以上のユーザ機器の存在を検出する命令と、
前記ゾーン内のユーザ機器の数が所定の値を超えたことを判定する命令と、
前記判定に基づいて別のゾーンに移動する命令と、
をさらに実行することができる、請求項１２に記載の装置。
【請求項１６】
前記アップリンク信号リソースは、時間、周波数、ビーム、直交符号、またはこれらの組み合わせから選択される、請求項１２に記載の装置。
【請求項１７】
ネットワーク上の装置であって、
ｎｅｗ  ｒａｄｉｏにおける参照信号構成のために内部に記憶された命令を含む非一時的メモリと、
前記非一時的メモリに動作可能に結合されたプロセッサであって、
前記装置において、ユーザ機器のためのチャネル状態情報参照信号のサポートされた構成がないことを判定する命令と、
前記ｎｅｗ  ｒａｄｉｏにおける新しい無線ノードに、前記ユーザ機器の前記チャネル状態参照信号の要求を送信する命令と、
前記ｎｅｗ  ｒａｄｉｏにおける前記新しい無線ノードから、前記ＵＥのための前記サポートされた構成を受信する命令と、
を実行することができる、プロセッサと、
を備える、装置。
【請求項１８】
前記チャネル状態情報参照信号は、ビームをペアリングするためのものである、請求項１７に記載の装置。
【請求項１９】
前記プロセッサは、
前記新しい無線ノードから、チャネル状態情報取得のためのダウンリンクチャネル状態情報参照信号を受信する命令と、
アップリンクチャネル状態情報測定を実行する命令と、
をさらに実行することができる、請求項１７に記載の装置。
【請求項２０】
前記ユーザ機器の前記サポートされている構成は、送信モード、ユーザ機器の特殊性、周波数、時間、およびパターンを含む、請求項１７に記載の装置。
【発明の詳細な説明】
【技術分野】
【０００１】
（関連出願の相互参照）
本出願は、２０１６年８月１１日に出願された、「Ｂｅａｍｆｏｒｍｉｎｇ  Ｓｗｅｅｐｉｎｇ  ａｎｄ  Ｔｒａｉｎｉｎｇ  ｉｎ  ａ  Ｆｌｅｘｉｂｌｅ  Ｆｒａｍｅ  Ｓｔｒｕｃｔｕｒｅ  ｆｏｒ  Ｎｅｗ  Ｒａｄｉｏ」と題する米国特許仮出願第６２／３７３，６６２号および２０１６年１１月３日に出願された、「Ｂｅａｍ  Ｂａｓｅｄ  Ｍｏｂｉｌｉｔｙ  ａｎｄ  Ｂｅａｍ  Ｂａｓｅｄ  Ｍａｎａｇｅｍｅｎｔ  ｉｎ  ＮＲ」と題する米国特許仮出願第６２／４１７，１６２号の優先権の利益を主張するものであり、これらの内容は、参照によりその全体が本明細書に組み込まれる。
【０００２】
本出願は、アクティブ状態におけるビームフォーミング（ＢＦ）トレーニングのための方法に関する。本出願はまた、ＣＳＩ取得およびビーム管理のためのＲＳ構成に関する。本出願は、さらに、ビームベースのモビリティに関する。
【背景技術】
【０００３】
現在のネットワークアクセス手順は、全方向送信またはセクタベースの送信に基づいている。例えば、これは、セルサーチ手順およびその後の物理報知チャネル（ＰＢＣＨ）取得を含み得る。しかしながら、ビームフォーミングベースのアクセスのためのいくつかの機能は、既存の全方向またはセクタベースの送信アクセス手順によってサポートされていない。これらの機能のうちの１つが、アイドル状態におけるビームフォーミングペアの判定を含む。別の機能は、例えばＲＲＣ接続セットアップの前に実行するか、間に実行するか、後に実行するかを問わず、ビームフォーミングトレーニングフィードバックおよびビームフォーミングトレーニング参照信号（ＢＴ−ＲＳ）の送信を含む。さらに別の機能は、時間および周波数の観点から、ビームフォーミング（ＢＦ）トレーニングフィードバックのためのアップリンク（ＵＬ）チャネルのリソースを含む。さらなる機能は、ビームフォーミングベースのＰＢＣＨ検出を含む。
【０００４】
これとは別に、ＬＴＥにおける既存のフレーム構造は、ＲＲＣ＿Ｃｏｎｎｅｃｔｅｄ状態におけるビームフォーミングトレーニング手順をサポートしていない。ＮＲでは、３ＧＰＰ標準で現在議論されている柔軟なフレーム構造の概念は、一般的なダウンリンク（ＤＬ）またはＵＬデータ送信には高水準すぎる。例えば、これらの柔軟なフレーム構造は、ＲＲＣ＿Ｃｏｎｎｅｃｔｅｄ状態におけるビームフォーミングトレーニングの分野におけるユースケースをサポートすることができない。
【０００５】
ＣＳＩ取得およびビーム管理のためにチャネル状態情報参照信号（ＣＳＩ−ＲＳ）またはサウンディング参照信号（ＳＲＳ）が必要とされ得る。ダウンリンク（ＤＬ）とアップリンク（ＵＬ）とはＣＳＩ−ＲＳおよびＳＲＳの設計に関して異なる要件を有するため、ＵＥは、異なる用途に対するＣＳＩ−ＲＳおよびＳＲＳの構成を把握しているべきである。現在、ＮＲシステムにおける効率的な使用を可能にするには、ＣＳＩ−ＲＳおよびＳＲＳ構成ならびに関連するシグナリングの設計に欠陥がある。
【０００６】
５Ｇ  Ｎｅｗ  Ｒａｄｉｏ（ＮＲ）システムでは、システム情報は、最小限のＳＩ（システム情報）と他のＳＩとに分けられる。最小限のＳＩは周期的に報知される。最小限のシステム情報は、（ｉ）初期アクセスに必要な基本情報（すなわち、ＵＥがセルへのアクセスを許可されているか否かを評価するために必要な情報を含む、セル選択をサポートする情報）と、（ｉｉ）他のＳＩを取得するための情報および報知ＳＩのためのスケジューリングされた情報と、を含み得る。
【発明の概要】
【発明が解決しようとする課題】
【０００７】
他のＳＩには、最小限のＳＩで報知されていないすべてのものが含まれる。他のＳＩは、ネットワークによってトリガされるかＵＥ要求によってトリガされるかのいずれかで、専用の仕方で供給され、報知され得る。ＵＥが他のＳＩ要求を送信する前に、ＵＥは、それがセル内で利用可能か否か、および報知されているか否かを知る必要がある。これは、最小限のＳＩをチェックすることによって行うことができる。しかしながら、当技術分野には、（ｉ）すべてのセル／送信受信ポイント（ＴＲＰ）が最小限のＳＩを周期的に報知するか否か、（ｉｉ）ＵＥがキャンプオンすることができるすべてのセルにおいて最小限のＳＩが周期的に報知されるか否か、（ｉｉｉ）システムにおいてＵＥがキャンプオンできないセルがあるか否か、（ｉｖ）最小限のＳＩを報知しないセルにＵＥがキャンプオンすることを許可されるべきか否かという問題が広範に存在する。
【課題を解決するための手段】
【０００８】
本概要は、以下の「発明を実施するための形態」でさらに説明される一連の概念を簡略化した形で導入するために提供される。この「発明の概要」は、特許請求の範囲に記載の主題の範囲を限定することを意図するものではない。上記の必要性は、ビームフォーミングベースの初期アクセス、アクティブ状態におけるビームフォーミングトレーニング、およびＮＲシステムのための対応する柔軟なフレーム構造設計のためのメカニズムを説明する本出願によってかなり満たされる。
【０００９】
本出願は、少なくとも、ネットワークにおける、ある間隔におけるビームフォーミングトレーニングのために内部に記憶された命令を含む非一時的メモリを備えるネットワーク上の装置に関する。装置はまた、非一時的メモリに動作可能に結合されたプロセッサであって、上記間隔において複数のビームのそれぞれについてのビームフォーミングトレーニング信号およびビーム識別情報を新しい無線ノードから受信する命令を実行することができる、プロセッサを備える。プロセッサはまた、複数のビームのビームフォーミングトレーニング信号に基づいて新しい無線ノードの最適送信ビームを判定する命令を実行するように構成される。プロセッサは、上記間隔における最適送信ビームのビーム識別情報と装置の識別情報とを含む信号を新しい無線ノードに送信する命令を実行するようにさらに構成される。プロセッサは、上記間隔における新しい無線機からの判定に基づくビーム識別情報を含む、装置のための最適送信ビームを新しい無線ノードから受信する命令を実行するようにさらに構成される。
【００１０】
本出願はまた、新しい無線機におけるアップリンク信号リソース割り当てのために内部に記憶された命令を含む非一時的メモリを備えるネットワーク上の装置に関する。本出願はまた、非一時的メモリに動作可能に結合されたプロセッサであって、ネットワーク上のゾーンからゾーン内の複数のノードのアップリンク信号リソース割り当てを含むシステム情報を受信する命令を実行することができる、プロセッサを備える。プロセッサはまた、受信したシステム情報に基づいてアップリンク信号を構成する命令を実行するように構成される。プロセッサはまた、構成されたアップリンク信号をゾーン内の複数のノードに送信する命令を実行するように構成される。プロセッサは、ネットワーク上のルータによって選択された複数のノードのうちの１つ以上から、ネットワークフィードバックを含むページングメッセージを受信する命令を実行するようにまたさらに構成される。
【００１１】
本出願はまた、新しい無線機における参照信号構成のために内部に記憶された命令を含む非一時的メモリを備えるネットワーク上の装置に関する。本出願はまた、非一時的メモリに動作可能に結合されたプロセッサであって、装置において、ユーザ機器のためのチャネル状態情報参照信号のサポートされた構成がないことを判定する命令を実行することができる、プロセッサを備える。プロセッサはまた、ｎｅｗ  ｒａｄｉｏにおける新しい無線ノードに、ユーザ機器のチャネル状態参照信号の要求を送信する命令を実行するように構成される。プロセッサは、ｎｅｗ  ｒａｄｉｏにおける新しい無線ノードから、ＵＥのためのサポートされた構成を受信する命令を実行するようにさらに構成される。
【００１２】
このように、本発明の詳細な説明がよりよく理解され得るように、そして当技術分野に対する本発明の寄与がよりよく理解され得るように、本発明の特定の実施形態をいくぶん広く概説してきた。
【００１３】
本出願のより強固な理解を促進するために、ここで添付の図面を参照し、添付の図面では、同様の要素は同様の番号で参照される。これらの図面は、本出願を限定するものとして解釈されるべきではなく、例示的であることのみを意図している。
【図面の簡単な説明】
【００１４】
【図１Ａ】一実施形態による例示的な通信システムを示す図である。
【図１Ｂ】一実施形態による無線通信のために構成された例示的な装置を示す図である
【図１Ｃ】一実施形態による無線アクセスネットワークおよびコアネットワークのシステム図である。
【図１Ｄ】別の実施形態による無線アクセスネットワークおよびコアネットワークのシステム図である。
【図１Ｅ】さらに別の実施形態による無線アクセスネットワークおよびコアネットワークのシステム図である。
【図１Ｆ】一実施形態による、図１Ａ、図１Ｃ、図１Ｄ、および図１Ｅにおいて先に示されている１つ以上のネットワークと通信する例示的なコンピューティングシステムのブロック図である。
【図２】ｎｅｗ  ｒａｄｉｏにおける柔軟なフレーム構造の概念を示す図である。
【図３】セクタビームおよび複数の高利得狭ビームを用いたセルカバレッジを示す図である。
【図４Ａ】本出願の実施形態によるビームスイープ技法を示す図である。
【図４Ｂ】本出願の実施形態によるビームスイープ技法を示す図である。
【図４Ｃ】本出願の実施形態によるビームスイープ技法を示す図である。
【図５】本出願の一実施形態による、２つの異なるヌメロロジを用いたｎｅｗ  ｒａｄｉｏにおける２つのビームフォーミングされたトレーニング参照信号（ＢＴ−ＲＳ）を示す図である。
【図６】本出願の一実施形態による、２つの異なるヌメロロジを用いたｎｅｗ  ｒａｄｉｏにおける共有ＢＴ−ＲＳを示す図である。
【図７Ａ】本出願の一実施形態による自己完結型サブフレームにおける所定のＢＴ−ＲＳ構成を示す図である。
【図７Ｂ】本出願の一実施形態による、自己完結型サブフレームにおける半静的に構成されたＢＴ−ＲＳ構成を示す図である。
【図８】アプリケーションの自己完結型サブフレームにおけるＢＴ−ＲＳビーム識別情報および関連ビーム系列の例示的な実施形態を示す図である。
【図９】本出願のＢＴ−ＲＳビーム識別情報の復号および同期検出の実施形態の例示的な実施形態を示す図である。
【図１０】本出願の一実施形態による物理報知チャネル（ＰＢＣＨ）送信のためのフローチャートである。
【図１１】本出願の一実施形態によるフレーム構造におけるＢＴ−ＲＳおよびＰＢＣＨの配置を示す図である。
【図１２】本出願による、ＰＢＣＨがビーム送信とペアになっているときのビームフォーミングトレーニングのためのユーザ機器（ＵＥ）初期アクセス手順の例示的な実施形態を示す図である。
【図１３】本出願の一実施形態によるビーム識別情報フィードバックメカニズムの例示的な手順を示す図である。
【図１４】本出願の一実施形態によるビームフォーミングトレーニングのためのＵＥ初期アクセスのための例示的な手順を示す図である。
【図１５】本出願による自己完結型サブフレームにおけるビーム識別情報フィードバック送信の例示的な実施形態を示す図である。
【図１６Ａ】本出願によるＵＥとＲＨノードとの間のプロトコルの例示的な実施形態を示す図である。
【図１６Ｂ】一実施形態による、ＵＥフィードバック後に送信されるＰＢＣＨの例示的な実施形態を示す図である。
【図１７】本出願による、周期的ビームフォーミング（ＢＦ）トレーニング手順の例示的な実施形態を示す図である。
【図１８】本出願による、ｎｅｗ  ｒａｄｉｏにおける周期的ＢＦトレーニングの例示的な実施形態を示す図である。
【図１９】本出願による、ｎｅｗ  ｒａｄｉｏにおいて４に等しいサブアレイの数を用いた周期的ＢＦトレーニングの例示的な実施形態を示す図である。
【図２０】本出願による、周期的ＢＦトレーニングおよびフィードバックのための自己完結型時間間隔Ｘの例示的な実施形態を示す図である。
【図２１】本出願による、ＵＥビームフォーミングフィードバックおよびビームスイーピングのためのアップリンク（ＵＬ）共通チャネルの例示的な実施形態を示す図である。
【図２２】本出願による、オンデマンド１対１ＢＦトレーニングおよびフィードバックのための自己完結型時間間隔Ｘの例示的な実施形態を示す図である。
【図２３】本出願によるオンデマンドの１対１ＢＦトレーニング手順の例示的な実施形態を示す図である。
【図２４】本出願による、オンデマンド１対多ＢＦトレーニングおよびフィードバックのために使用される自己完結型時間間隔Ｘの例示的な実施形態を示す図である。
【図２５】本出願によるオンデマンドの１対多ＢＦトレーニング手順の例示的な実施形態を示す図である。
【図２６】例示的な実施形態によるページングブロックおよびバーストを示す図である。
【図２７】ビーム管理のためのＣＳＩ−ＲＳの例示的な割り当てを示す図である。
【図２８】例示的な実施形態による、ＣＳＩ取得のためのＣＳＩ−ＲＳの例示的なパターンを示す図である。
【図２９】例示的な実施形態による、ビーム管理のためのＣＳＩ−ＲＳおよびＳＲＳ構成シグナリングのためのコールフローである。
【図３０】例示的な実施形態による、ＣＳＩ取得のためのＣＳＩ−ＲＳ構成シグナリングのためのコールフローである。
【図３１】例示的な実施形態による、ハイブリッドアップリンク（ＵＬ）信号リソース割り当ておよび対応するネットワークページングのためのコールフローである。
【図３２】複数の追跡ゾーンを有する例示的なｎｅｗ  ｒａｄｉｏ（ＮＲ）ネットワークを示す図である。
【図３３】ＵＥが図３２に示される経路に沿って移動する場合のＵＥとネットワークとの間のシグナリングを示す例示的なシグナリング図である。
【発明を実施するための形態】
【００１５】
例示的な実施形態の詳細な説明を、本明細書の様々な図、実施形態、および態様に関連して論じる。この説明は可能な実装の詳細な例を提供するが、その詳細は例であることが意図されており、よって本出願の範囲を限定するものではないことを理解されたい。
【００１６】
本明細書において「１つの実施形態（ｏｎｅ  ｅｍｂｏｄｉｍｅｎｔ）」、「一実施形態（ａｎ  ｅｍｂｏｄｉｍｅｎｔ）」、「１つ以上の実施形態（ｏｎｅ  ｏｒ  ｍｏｒｅ  ｅｍｂｏｄｉｍｅｎｔｓ）」、「一態様（ａｎ  ａｓｐｅｃｔ）」などの言及は、その実施形態に関連して説明した特定の特徴、構造、または特性が、本開示の少なくとも１つの実施形態に含まれることを意味する。さらに、本明細書の様々な箇所における「実施形態（ｅｍｂｏｄｉｍｅｎｔ）」という用語は、必ずしも同じ実施形態を指すものではない。つまり、一部の実施形態によって示されるが他の実施形態によっては示されない場合がある様々な特徴が説明される。
【００１７】
概して、本出願は、ビームフォーミングベースの初期アクセス、アクティブ状態におけるビームフォーミングトレーニング、およびＮＲ（ｎｅｗ  ｒａｄｉｏ）システムのための対応する柔軟なフレーム構造設計を有する方法およびシステムを対象とする。１つの態様によれば、ＮＲノードは、Ｎ本の（幅広の）ビームをスイープすることによって、ＮＲノードのビーム成形されたセル（またはセクタもしくはスライス）サーチ信号を報知する。一実施形態では、ビームＩＤは、ビームフォーミングトレーニング参照信号（ＢＴ−ＲＳ）上で黙示的に搬送されるべきである。ビームのＢＴ−ＲＳの時分割多重化（ＴＤＭ）が採用されている場合、ビームの総数および検出されたビームＩＤは、ユーザ機器（ＵＥ）がシンボルおよびサブフレームのタイミングを取得するのを助け得る。ＵＥのＢＴ−ＲＳビームフォーミング能力は、ＵＥの能力の一部として定義され得る。例えば、これは、サポートされ得る最大数のビーム、例えば、タイプ１、タイプ２、またはその両方を含み、また時間領域におけるビームステアリング時間間隔単位のサポートされる粒度も含む（直交周波数分割多重（ＯＦＤＭ）シンボルレベル粒度、サブフレームレベル、ビーム幅分解能など）。
【００１８】
別の実施形態では、タイプ１のビームとタイプ２のビームとは異なるＢＴ−ＲＳを使用し得る。ビームの数Ｎは、異なるセルまたはセクタに構成可能であり得、ＵＥにおいてブラインド検出され得る異なる数のビームを使用し得る。Ｎは、セル当たりまたはセクタ当たりの、すべてのタイプのビーム（例えば、タイプ１対タイプ２のビーム）を含むビームの総数を示すことができる。あるいは、セルごとまたはセクタごとにＮ本の構成可能なタイプ１のビームがあり得、セルまたはセクタにわたって変化し得るタイプ１のビームごとにＮ’本の構成可能なタイプ２のビームがあり得る。
【００１９】
ＵＥが同様の信号対干渉雑音比（ＳＩＮＲ）を有する複数のビームを受信するためのさらに別の実施形態が想定されている。ＵＥが受信したビームのセット内の複数のビームを区別できるようにするために、異なるビーム（および対応するＢＴ−ＲＳ）が、異なるシフトを有するＭ系列または他の準直交系列に割り当てられ得る。ＮＲが複数のヌメロロジをサポートしている場合は、異なるヌメロロジまたは無線アクセスネットワーク（ＲＡＮ）スライスが独自のＢＴ−ＲＳ構成を報知するか、同じＢＴ−ＲＳ構成を共有する。
【００２０】
別の実施形態では、ＰＢＣＨは初期アクセスのために設計される。ＰＢＣＨは各スイーピングビームと関連付けられている。さらに、ＰＢＣＨは検出のために利用される。
【００２１】
本出願の別の態様によれば、周期的ＢＦトレーニング手順およびフレーム構造が説明される。これらの態様は精密なシグナリングを含み得る。これらはまた、周期的ビームフォーミングトレーニングをサポートするための柔軟な時間構造（時間間隔ｘ）を含み得る。これらは、送信（Ｔｘ）ビームスイーピングパターンをさらに含み得る。
【００２２】
別の実施形態では、オンデマンドＢＦトレーニングおよびフレーム構造が説明される。これは、ＮＲノード主導型ビームフォーミングトレーニングを含むことができる。これはまた、精密なシグナリングを含み得る。これは、オンデマンドビームフォーミングトレーニングをサポートするための柔軟な時間構造（時間間隔ｘ）をさらに含み得る。これは、Ｔｘビームスイーピングパターンをさらに含み得る。
【００２３】
別の実施形態では、ＣＳＩ取得およびビーム管理のためのＲＳ構成に関連して、限定ではなく例として、（ｉ）ＣＳＩ−ＲＳおよびＳＲＳ構成と、（ｉｉ）ＣＳＩ−ＲＳおよびＳＲＳ指標と、の態様が説明される。
【００２４】
ビームベースのモビリティに関連して、限定ではなく例として、ＣＳＩフィードバック設計について以下の態様が説明される。
【００２５】
（ｉ）ＵＬ追跡信号の送信に使用され得るエリア／ゾーン内の設定可能なＵＥのセットにＵＬ信号リソースを割り当てる方法。
【００２６】
（ｉｉ）ＵＥからのＵＬ追跡信号の送信に基づく、ＮＲネットワークにおいてＵＥを追跡するための方法。
【００２７】
（ｉｉｉ）ＲＡＮ通知エリア（ＲＮＡ）またはゾーンを定義するために使用される１つ以上のＮＲセル内のＴＲＰによって送信されるビームのセットを含むＮＲモビリティセット。
【００２８】
（ｉｖ）ＲＲＣ接続確立またはＲＲＣ中断／再開手順に基づく、ＮＲモビリティおよびＵＬ追跡信号構成をＵＥにシグナリングするためのメカニズム。
【００２９】
（ｖ）ＮＲモビリティセット内のビームの測定、デバイスタイプ／サービス、速度／モビリティ状態、ゾーン内のＵＥの位置に応じた、ＵＬ追跡信号の送信を制御するための方法。
【００３０】
（ｖｉ）ＵＥをページングするためにどのＴＲＰ／ビームを使用するかを判定するために正確なＵＥ位置を利用する拡張ページング手順。
【００３１】
定義／頭字語
以下、本出願において一般的に使用される用語および句の定義を表１に提示する。
【表１−１】
2019528620.tif 000003
【表１−２】
2019528620.tif 000004
【表１−３】
2019528620.tif 000005
【表１−４】
2019528620.tif 000006
【００３２】
［一般的なアーキテクチャ］
第３世代パートナーシッププロジェクト（３ＧＰＰ）は、無線アクセスと、コアトランスポートネットワークと、コーデック、セキュリティ、およびサービス品質に関する作業を含むサービス能力と、を含む、セルラー通信ネットワーク技術のための技術標準を開発している。最近の無線アクセス技術（ＲＡＴ）標準としては、ＷＣＤＭＡ（通常３Ｇと呼ばれる）、ＬＴＥ（通常４Ｇと呼ばれる）、およびＬＴＥアドバンスト標準が挙げられる。３ＧＰＰは、「５Ｇ」とも呼ばれるＮｅｗ  Ｒａｄｉｏ（ＮＲ）と呼ばれる次世代セルラー技術の標準化に取り組み始めている。３ＧＰＰ  ＮＲ標準の開発は、６ＧＨｚ未満の新しい柔軟な無線アクセスの提供と、６ＧＨｚ超の新しいウルトラモバイルブロードバンド無線アクセスの提供と、を含むと予想される次世代無線アクセス技術（ｎｅｗ  ＲＡＴ）の定義を含むと予想される。柔軟な無線アクセスは、６ＧＨｚ未満の新しいスペクトルでの後方非互換の新しい無線アクセスから構成されることが予想されており、また、要件が異なる幅広い３ＧＰＰ  ＮＲのユースケースのセットに対応するために、同じスペクトルで一緒に多重化できる異なる動作モードを含むことが予想されている。ウルトラモバイルブロードバンドは、例えば屋内用途およびホットスポットのためのウルトラモバイルブロードバンドアクセスの機会を提供するセンチメートル波およびミリ波のスペクトルを含むと予想される。特に、ウルトラモバイルブロードバンドは、センチメートル波およびミリ波固有の設計最適化を用いて、６ＧＨｚ未満の柔軟な無線アクセスと共通の設計フレームワークを共有することが予想されている。
【００３３】
３ＧＰＰは、ＮＲがサポートすることが予想される様々なユースケースを特定し、その結果、データレート、遅延、およびモビリティについての多種多様なユーザエクスペリエンス要件に至った。ユースケースとしては、以下の一般的なカテゴリ、すなわち、高度化モバイルブロードバンド（例：密集地域でのブロードバンドアクセス、屋内超高ブロードバンドアクセス、群衆内ブロードバンドアクセス、どこでも５０Ｍｂｐｓ以上、超低コストブロードバンドアクセス、車内モバイルブロードバンド）、クリティカルな通信、大規模マシンタイプ通信、ネットワーク運用（例えば、ネットワークスライシング、ルーティング、マイグレーションおよび相互作用、エネルギー節約）、および拡張されたあらゆるモノと車両間（ｅｎｈａｎｃｅｄ  ｖｅｈｉｃｌｅ−ｔｏ−ｅｖｅｒｙｔｈｉｎｇ、ｅＶ２Ｘ）通信が挙げられる。これらのカテゴリの具体的なサービスおよびアプリケーションとしては、例えば、モニタリングおよびセンサネットワーク、デバイスの遠隔制御、双方向の遠隔制御、パーソナルクラウドコンピューティング、ビデオストリーミング、ワイヤレスクラウドベースのオフィス、ファーストレスポンダへの接続、車載ｅＣａｌｌ、災害警報、リアルタイムゲーミング、多人数参加型ビデオ通話、自動運転、拡張現実、触覚インターネット、ならびに仮想現実などが挙げられる。これらおよび他のユースケースが本明細書では企図されている。
【００３４】
図１Ａは、本明細書において説明され特許請求の範囲で定義される方法および装置が実施され得る例示的な通信システム１００の１つの実施形態を示す。図示のように、例示的な通信システム１００は、無線送信／受信ユニット（ＷＴＲＵ）１０２ａ、１０２ｂ、１０２ｃ、および／または１０２ｄ（一般的にまたはまとめてＷＴＲＵ  １０２と呼ばれる場合がある）と、無線アクセスネットワーク（ＲＡＮ）１０３／１０４／１０５／１０３ｂ／１０４ｂ／１０５ｂと、コアネットワーク１０６／１０７／１０９と、公衆交換電話網（ＰＳＴＮ）１０８と、インターネット１１０と、他のネットワーク１１２と、を備え得るが、本開示の実施形態は、任意の数のＷＴＲＵ、基地局、ネットワーク、および／またはネットワーク要素を企図していることが理解されよう。ＷＴＲＵ  １０２ａ、１０２ｂ、１０２ｃ、１０２ｄ、１０２ｅのそれぞれは、無線環境で動作および／または通信するように構成された任意のタイプの装置またはデバイスとすることができる。各ＷＴＲＵ  １０２ａ、１０２ｂ、１０２ｃ、１０２ｄ、１０２ｅは、ハンドヘルド無線通信装置として図１Ａ〜図１Ｅに示されているが、５Ｇ無線通信について企図されている多種多様なユースケースでは、各ＷＴＲＵは、単なる例としてであるが、ユーザ機器（ＵＥ）、移動局、固定式または移動式加入者ユニット、ページャ、携帯電話、携帯情報端末（ＰＤＡ）、スマートフォン、ラップトップ、タブレット、ネットブック、ノートブックコンピュータ、パーソナルコンピュータ、無線センサ、家庭用電化製品、スマートウォッチまたはスマートウェアなどのウェアラブルデバイス、医療機器、またはｅＨｅａｌｔｈデバイス、ロボット、産業用機器、無人機、自動車、トラック、電車、または航空機などの航走体などを含む、無線信号を送信および／または受信するように構成された任意のタイプの装置またはデバイスを含み得る、または無線信号を送信および／または受信するように構成された任意のタイプの装置またはデバイスで実施され得ることを理解されたい。
【００３５】
通信システム１００はまた、基地局１１４ａおよび基地局１１４ｂを備え得る。基地局１１４ａは、コアネットワーク１０６／１０７／１０９、インターネット１１０、および／または他のネットワーク１１２などの１つ以上の通信ネットワークへのアクセスを容易にするために、ＷＴＲＵ  １０２ａ、１０２ｂ、１０２ｃのうちの少なくとも１つと無線でインターフェースするように構成された任意のタイプのデバイスとすることができる。基地局１１４ｂは、コアネットワーク１０６／１０７／１０９、インターネット１１０、および／または他のネットワーク１１２などの１つ以上の通信ネットワークへのアクセスを容易にするために、ＲＲＨ（リモート無線装置）１１８ａ、１１８ｂおよび／またはＴＲＰ（送信／受信ポイント）１１９ａ、１１９ｂのうちの少なくとも１つと有線および／または無線でインターフェースするように構成された任意のタイプのデバイスとすることができる。ＲＲＨ  １１８ａ、１１８ｂは、コアネットワーク１０６／１０７／１０９、インターネット１１０、および／または他のネットワーク１１２などの１つ以上の通信ネットワークへのアクセスを容易にするために、ＷＴＲＵ  １０２ｃのうちの少なくとも１つと無線でインターフェースするように構成された任意のタイプのデバイスとすることができる。ＴＲＰ  １１９ａ、１１９ｂは、コアネットワーク１０６／１０７／１０９、インターネット１１０、および／または他のネットワーク１１２などの１つ以上の通信ネットワークへのアクセスを容易にするために、ＷＴＲＵ  １０２ｄのうちの少なくとも１つと無線でインターフェースするように構成された任意のタイプのデバイスとすることができる。例として、基地局１１４ａ、１１４ｂは、ベーストランシーバ基地局（ＢＴＳ）、ＮｏｄｅＢ、ｅＮｏｄｅＢ、Ｈｏｍｅ  ＮｏｄｅＢ、Ｈｏｍｅ  ｅＮｏｄｅＢ、サイトコントローラ、アクセスポイント（ＡＰ）、無線ルータなどであり得る。基地局１１４ａ、１１４ｂは単一の要素としてそれぞれ描かれているが、基地局１１４ａ、１１４ｂは任意の数の相互接続された基地局および／またはネットワーク要素を含むことができることが理解されよう。
【００３６】
基地局１１４ａは、基地局コントローラ（ＢＳＣ）、無線ネットワークコントローラ（ＲＮＣ）、中継ノードなどの他の基地局および／またはネットワーク要素（図示せず）も含むことができるＲＡＮ  １０３／１０４／１０５の一部とすることができる。基地局１１４ｂは、基地局コントローラ（ＢＳＣ）、無線ネットワークコントローラ（ＲＮＣ）、中継ノードなどの他の基地局および／またはネットワーク要素（図示せず）も含むことができるＲＡＮ  １０３ｂ／１０４ｂ／１０５ｂの一部とすることができる。基地局１１４ａは、セル（図示せず）と呼ばれる場合がある特定の地理的領域内で無線信号を送信および／または受信するように構成され得る。基地局１１４ｂは、セル（図示せず）と呼ばれる場合がある特定の地理的領域内で有線および／または無線信号を送信および／または受信するように構成され得る。セルはセルセクタにさらに分割され得る。例えば、基地局１１４ａに関連付けられたセルは、３つのセクタに分割され得る。よって、一実施形態では、基地局１１４ａは、３つの送受信機、例えばセルの各セクタに１つの送受信機を備え得る。一実施形態では、基地局１１４ａは、多入力・多出力（ＭＩＭＯ）技術を採用することができ、従って、セルの各セクタに対して複数の送受信機を利用することができる。
【００３７】
基地局１１４ａは、任意の適切な無線通信リンク（例えば、無線周波数（ＲＦ）、マイクロ波、赤外線（ＩＲ）、紫外線（ＵＶ）、可視光、センチメートル波、ミリ波など）であり得る無線インターフェース１１５／１１６／１１７を介してＷＴＲＵ  １０２ａ、１０２ｂ、１０２ｃのうちの１つ以上と通信することができる。無線インターフェース１１５／１１６／１１７は、任意の適切な無線アクセス技術（ＲＡＴ）を使用して確立され得る。
【００３８】
基地局１１４ｂは、任意の適切な有線（例えば、ケーブル、光ファイバなど）または無線通信リンク（例えば、無線周波数（ＲＦ）、マイクロ波、赤外線（ＩＲ）、紫外線（ＵＶ）、可視光、センチメートル波、ミリ波など）であり得る無線インターフェース１１５ｂ／１１６ｂ／１１７ｂを介してＲＲＨ  １１８ａ、１１８ｂおよび／またはＴＲＰ  １１９ａ、１１９ｂのうちの１つ以上と通信することができる。無線インターフェース１１５ｂ／１１６ｂ／１１７ｂは、任意の適切な無線アクセス技術（ＲＡＴ）を使用して確立され得る。
【００３９】
ＲＲＨ  １１８ａ、１１８ｂおよび／またはＴＲＰ  １１９ａ、１１９ｂは、任意の適切な無線通信リンク（例えば、無線周波数（ＲＦ）、マイクロ波、赤外線（ＩＲ）、紫外線（ＵＶ）、可視光、センチメートル波、ミリ波など）であり得る無線インターフェース１１５ｃ／１１６ｃ／１１７ｃを介してＷＴＲＵ  １０２ｃ、１０２ｄのうちの１つ以上と通信することができる。無線インターフェース１１５ｃ／１１６ｃ／１１７ｃは、任意の適切な無線アクセス技術（ＲＡＴ）を使用して確立され得る。
【００４０】
より具体的には、上記のように、通信システム１００は多元接続システムとすることができ、ＣＤＭＡ、ＴＤＭＡ、ＦＤＭＡ、ＯＦＤＭＡ、ＳＣ−ＦＤＭＡなどの１つ以上のチャネルアクセス方式を採用し得る。例えば、ＲＡＮ  １０３／１０４／１０５内の基地局１１４ａおよびＷＴＲＵ  １０２ａ、１０２ｂ、１０２ｃ、またはＲＡＮ  １０３ｂ／１０４ｂ／１０５ｂ内のＲＲＨ  １１８ａ、１１８ｂおよびＴＲＰ  １１９ａ、１１９ｂならびにＷＴＲＵ  １０２ｃ、１０２ｄは、ユニバーサル移動体通信システム（ＵＭＴＳ）地上無線アクセス（ＵＴＲＡ）などの無線技術を実装してもよく、これは、広帯域ＣＤＭＡ（ＷＣＤＭＡ）を使用して無線インターフェース１１５／１１６／１１７または１１５ｃ／１１６ｃ／１１７ｃをそれぞれ確立することができる。ＷＣＤＭＡは、高速パケットアクセス（ＨＳＰＡ）および／または発展型ＨＳＰＡ（ＨＳＰＡ＋）などの通信プロトコルを含み得る。ＨＳＰＡは、高速ダウンリンクパケットアクセス（ＨＳＤＰＡ）および／または高速アップリンクパケットアクセス（ＨＳＵＰＡ）を含み得る。
【００４１】
一実施形態では、基地局１１４ａおよびＷＴＲＵ  １０２ａ、１０２ｂ、１０２ｃ、またはＲＡＮ  １０３ｂ／１０４ｂ／１０５ｂ内のＲＲＨ  １１８ａ、１１８ｂおよびＴＲＰ  １１９ａ、１１９ｂならびにＷＴＲＵ  １０２ｃ、１０２ｄは、発展型ＵＭＴＳ地上無線アクセス（Ｅ−ＵＴＲＡ）などの無線技術を実装してもよく、これは、ロングタームエボリューション（ＬＴＥ）および／またはＬＴＥアドバンスト（ＬＴＥ−Ａ）を使用して無線インターフェース１１５／１１６／１１７または１１５ｃ／１１６ｃ／１１７ｃをそれぞれ確立することができる。将来、無線インターフェース１１５／１１６／１１７は３ＧＰＰ  ＮＲ技術を実装する場合もある。
【００４２】
一実施形態では、ＲＡＮ  １０３／１０４／１０５内の基地局１１４ａおよびＷＴＲＵ  １０２ａ、１０２ｂ、１０２ｃ、またはＲＡＮ  １０３ｂ／１０４ｂ／１０５ｂ内のＲＲＨ  １１８ａ、１１８ｂおよびＴＲＰ  １１９ａ、１１９ｂならびにＷＴＲＵ  １０２ｃ、１０２ｄは、ＩＥＥＥ８０２．１６（例えば、ワールドワイド・インターオペラビリティ・フォー・マイクロウェーブ・アクセス（ＷｉＭＡＸ））、ＣＤＭＡ２０００、ＣＤＭＡ２０００  １Ｘ、ＣＤＭＡ２０００  ＥＶ−ＤＯ、暫定基準２０００（ＩＳ−２０００）、暫定基準９５（ＩＳ−９５）、暫定基準８５６（ＩＳ−８５６）、汎欧州デジタル移動電話方式（ＧＳＭ）、ＧＳＭ進化型高速データレート（ＥＤＧＥ）、ＧＳＭ  ＥＤＧＥ（ＧＥＲＡＮ）などの無線技術を実装してもよい。
【００４３】
図１Ａの基地局１１４ｃは、例えば、無線ルータ、Ｈｏｍｅ  ＮｏｄｅＢ、Ｈｏｍｅ  ｅＮｏｄｅＢ、またはアクセスポイントとすることができ、事業所、家、航走体、キャンパスなどの局所的なエリアにおける無線接続を容易にするために任意の適切なＲＡＴを利用することができる。一実施形態では、基地局１１４ｃおよびＷＴＲＵ  １０２ｅは、無線ローカルエリアネットワーク（ＷＬＡＮ）を確立するためにＩＥＥＥ８０２．１１などの無線技術を実装することができる。一実施形態では、基地局１１４ｃおよびＷＴＲＵ  １０２ｄは、無線パーソナルエリアネットワーク（ＷＰＡＮ）を確立するためにＩＥＥＥ８０２．１５などの無線技術を実装することができる。さらに別の実施形態では、基地局１１４ｃおよびＷＴＲＵ  １０２ｅは、ピコセルまたはフェムトセルを確立するためにセルラベースのＲＡＴ（例えば、ＷＣＤＭＡ、ＣＤＭＡ２０００、ＧＳＭ、ＬＴＥ、ＬＴＥ−Ａなど）を利用することができる。図１Ａに示すように、基地局１１４ｂは、インターネット１１０への直接接続を有し得る。よって、基地局１１４ｃは、コアネットワーク１０６／１０７／１０９を介してインターネット１１０にアクセスする必要がない場合がある。
【００４４】
ＲＡＮ  １０３／１０４／１０５および／またはＲＡＮ  １０３ｂ／１０４ｂ／１０５ｂは、ＷＴＲＵ  １０２ａ、１０２ｂ、１０２ｃ、１０２ｄのうちの１つ以上に音声、データ、アプリケーション、および／またはボイス・オーバー・インターネットプロトコル（ＶｏＩＰ）サービスを提供するように構成された任意のタイプのネットワークとすることができるコアネットワーク１０６／１０７／１０９と通信することができる。例えば、コアネットワーク１０６／１０７／１０９は、呼制御、課金サービス、モバイルロケーションベースのサービス、プリペイドコーリング、インターネット接続、ビデオ配信などを提供することができる、および／またはユーザ認証などの高水準セキュリティ機能を実行することができる。
【００４５】
図１Ａには示されていないが、ＲＡＮ  １０３／１０４／１０５および／またはＲＡＮ  １０３ｂ／１０４ｂ／１０５ｂおよび／またはコアネットワーク１０６／１０７／１０９は、ＲＡＮ  １０３／１０４／１０５および／またはＲＡＮ  １０３ｂ／１０４ｂ／１０５ｂと同じＲＡＴまたは異なるＲＡＴを使用する他のＲＡＮと直接的または間接的に通信することができることが理解されよう。例えば、Ｅ−ＵＴＲＡ無線技術を利用し得るＲＡＮ  １０３／１０４／１０５および／またはＲＡＮ  １０３ｂ／１０４ｂ／１０５ｂに接続されていることに加えて、コアネットワーク１０６／１０７／１０９はまた、ＧＳＭ無線技術を採用している別のＲＡＮ（図示せず）と通信し得る。
【００４６】
コアネットワーク１０６／１０７／１０９はまた、ＰＳＴＮ  １０８、インターネット１１０、および／または他のネットワーク１１２にアクセスするためのＷＴＲＵ  １０２ａ、１０２ｂ、１０２ｃ、１０２ｄ、１０２ｅのためのゲートウェイとして機能することができる。ＰＳＴＮ  １０８は、基本電話サービス（ＰＯＴＳ）を提供する回線交換電話網を含むことができる。インターネット１１０は、伝送制御プロトコル（ＴＣＰ）、ユーザデータグラムプロトコル（ＵＤＰ）、およびＴＣＰ／ＩＰインターネットプロトコル群におけるインターネットプロトコル（ＩＰ）などの共通の通信プロトコルを使用する、相互接続されたコンピュータネットワークおよびデバイスのグローバルシステムを含み得る。ネットワーク１１２は、他のサービスプロバイダによって所有および／または運用される有線または無線通信ネットワークを含み得る。例えば、ネットワーク１１２は、ＲＡＮ  １０３／１０４／１０５および／またはＲＡＮ  １０３ｂ／１０４ｂ／１０５ｂと同じＲＡＴまたは異なるＲＡＴを使用することができる１つ以上のＲＡＮに接続された別のコアネットワークを含むことができる。
【００４７】
通信システム１００内のＷＴＲＵ  １０２ａ、１０２ｂ、１０２ｃ、１０２ｄの一部またはすべては、マルチモード機能を含むことができ、例えば、ＷＴＲＵ  １０２ａ、１０２ｂ、１０２ｃ、１０２ｄ、および１０２ｅは、異なる無線リンクを介して異なる無線ネットワークと通信するための複数の送受信機を含むことができる。例えば、図１Ａに示すＷＴＲＵ  １０２ｅは、セルラベースの無線技術を採用することができる基地局１１４ａ、およびＩＥＥＥ８０２無線技術を採用することができる基地局１１４ｃと通信するように構成され得る。
【００４８】
図１Ｂは、例えばＷＴＲＵ  １０２などの、本明細書に示された実施形態による無線通信のために構成された例示的な装置またはデバイスのブロック図である。図１Ｂに示すように、例示的なＷＴＲＵ  １０２は、プロセッサ１１８と、送受信機１２０と、送信／受信要素１２２と、スピーカ／マイクロフォン１２４と、キーパッド１２６と、ディスプレイ／タッチパッド／インジケータ１２８と、固定式メモリ１３０と、リムーバブルメモリ１３２と、電源１３４と、全地球測位システム（ＧＰＳ）チップセット１３６と、他の周辺機器１３８と、を備え得る。ＷＴＲＵ  １０２は、一実施形態との整合性を保ちながら、上記の要素の任意のサブコンビネーションを含み得ることが理解されよう。また、各実施形態では、限定するものではないが、とりわけ、トランシーバ基地局（ＢＴＳ）、ＮｏｄｅＢ、サイトコントローラ、アクセスポイント（ＡＰ）、Ｈｏｍｅ  ＮｏｄｅＢ、発展型Ｈｏｍｅ  ＮｏｄｅＢ（ｅＮｏｄｅＢ）、Ｈｏｍｅ  発展型ＮｏｄｅＢ（ＨｅＮＢ）、Ｈｏｍｅ  発展型ＮｏｄｅＢゲートウェイ、およびプロキシノードなどの、基地局１１４ａおよび１１４ｂ、および／または基地局１１４ａおよび１１４ｂが表し得るノードは、図１Ｂに示され、本明細書で説明されている要素の一部またはすべてを含むことができることが企図されている。
【００４９】
プロセッサ１１８は、汎用プロセッサ、専用プロセッサ、従来のプロセッサ、デジタルシグナルプロセッサ（ＤＳＰ）、複数のマイクロプロセッサ、ＤＳＰコアと協働する１つ以上のマイクロプロセッサ、コントローラ、マイクロコントローラ、特定用途向け集積回路（ＡＳＩＣ）、フィールドプログラマブルゲートアレイ（ＦＰＧＡ）回路、任意の他のタイプの集積回路（ＩＣ）、状態機械などとすることができる。プロセッサ１１８は、信号符号化、データ処理、電力制御、入出力処理、および／またはＷＴＲＵ  １０２が無線環境で動作することを可能にする任意の他の機能を実行することができる。プロセッサ１１８は送受信機１２０に結合されてもよく、送受信機１２０は送信／受信要素１２２に結合されてもよい。図１Ｂは、プロセッサ１１８と送受信機１２０とを別々の構成要素として示しているが、プロセッサ１１８と送受信機１２０とは電子パッケージまたはチップに一緒に集積されてもよいことが理解されよう。
【００５０】
送信／受信要素１２２は、無線インターフェース１１５／１１６／１１７を介して基地局（例えば、基地局１１４ａ）に信号を送信する、または基地局（例えば、基地局１１４ａ）から信号を受信するように構成され得る。例えば、一実施形態では、送信／受信要素１２２は、ＲＦ信号を送信および／または受信するように構成されたアンテナとすることができる。図１Ａには示されていないが、ＲＡＮ  １０３／１０４／１０５および／またはコアネットワーク１０６／１０７／１０９は、ＲＡＮ  １０３／１０４／１０５と同じＲＡＴまたは異なるＲＡＴを使用する他のＲＡＮと直接的または間接的に通信することができることが理解されよう。例えば、Ｅ−ＵＴＲＡ無線技術を利用し得るＲＡＮ  １０３／１０４／１０５に接続されていることに加えて、コアネットワーク１０６／１０７／１０９はまた、ＧＳＭ無線技術を採用している別のＲＡＮ（図示せず）と通信し得る。
【００５１】
コアネットワーク１０６／１０７／１０９はまた、ＰＳＴＮ  １０８、インターネット１１０、および／または他のネットワーク１１２にアクセスするためのＷＴＲＵ  １０２ａ、１０２ｂ、１０２ｃ、１０２ｄのためのゲートウェイとして機能することができる。ＰＳＴＮ  １０８は、基本電話サービス（ＰＯＴＳ）を提供する回線交換電話網を含むことができる。インターネット１１０は、伝送制御プロトコル（ＴＣＰ）、ユーザデータグラムプロトコル（ＵＤＰ）、およびＴＣＰ／ＩＰインターネットプロトコル群におけるインターネットプロトコル（ＩＰ）などの共通の通信プロトコルを使用する、相互接続されたコンピュータネットワークおよびデバイスのグローバルシステムを含み得る。ネットワーク１１２は、他のサービスプロバイダによって所有および／または運用される有線または無線通信ネットワークを含み得る。例えば、ネットワーク１１２は、ＲＡＮ  １０３／１０４／１０５と同じＲＡＴまたは異なるＲＡＴを使用することができる１つ以上のＲＡＮに接続された別のコアネットワークを含むことができる。
【００５２】
通信システム１００内のＷＴＲＵ  １０２ａ、１０２ｂ、１０２ｃ、１０２ｄの一部またはすべては、マルチモード機能を含むことができ、例えば、ＷＴＲＵ  １０２ａ、１０２ｂ、１０２ｃ、および１０２ｄは、異なる無線リンクを介して異なる無線ネットワークと通信するための複数の送受信機を含むことができる。例えば、図１Ａに示すＷＴＲＵ  １０２ｃは、セルラベースの無線技術を採用することができる基地局１１４ａ、およびＩＥＥＥ８０２無線技術を採用することができる基地局１１４ｂと通信するように構成され得る。
【００５３】
図１Ｂは、例えばＷＴＲＵ  １０２などの、本明細書に示された実施形態による無線通信のために構成された例示的な装置またはデバイスのブロック図である。図１Ｂに示すように、例示的なＷＴＲＵ  １０２は、プロセッサ１１８と、送受信機１２０と、送信／受信要素１２２と、スピーカ／マイクロフォン１２４と、キーパッド１２６と、ディスプレイ／タッチパッド／インジケータ１２８と、固定式メモリ１３０と、リムーバブルメモリ１３２と、電源１３４と、全地球測位システム（ＧＰＳ）チップセット１３６と、他の周辺機器１３８と、を備え得る。ＷＴＲＵ  １０２は、一実施形態との整合性を保ちながら、上記の要素の任意のサブコンビネーションを含み得ることが理解されよう。また、各実施形態では、限定するものではないが、とりわけ、トランシーバ基地局（ＢＴＳ）、ＮｏｄｅＢ、サイトコントローラ、アクセスポイント（ＡＰ）、Ｈｏｍｅ  ＮｏｄｅＢ、発展型Ｈｏｍｅ  ＮｏｄｅＢ（ｅＮｏｄｅＢ）、Ｈｏｍｅ  発展型ＮｏｄｅＢ（ＨｅＮＢ）、Ｈｏｍｅ  発展型ＮｏｄｅＢゲートウェイ、およびプロキシノードなどの、基地局１１４ａおよび１１４ｂ、および／または基地局１１４ａおよび１１４ｂが表し得るノードは、図１Ｂに示され、本明細書で説明されている要素の一部またはすべてを含むことができることが企図されている。
【００５４】
プロセッサ１１８は、汎用プロセッサ、専用プロセッサ、従来のプロセッサ、デジタルシグナルプロセッサ（ＤＳＰ）、複数のマイクロプロセッサ、ＤＳＰコアと協働する１つ以上のマイクロプロセッサ、コントローラ、マイクロコントローラ、特定用途向け集積回路（ＡＳＩＣ）、フィールドプログラマブルゲートアレイ（ＦＰＧＡ）回路、任意の他のタイプの集積回路（ＩＣ）、状態機械などとすることができる。プロセッサ１１８は、信号符号化、データ処理、電力制御、入出力処理、および／またはＷＴＲＵ  １０２が無線環境で動作することを可能にする任意の他の機能を実行することができる。プロセッサ１１８は送受信機１２０に結合されてもよく、送受信機１２０は送信／受信要素１２２に結合されてもよい。図１Ｂは、プロセッサ１１８と送受信機１２０とを別々の構成要素として示しているが、プロセッサ１１８と送受信機１２０とは電子パッケージまたはチップに一緒に集積されてもよいことが理解されよう。
【００５５】
送信／受信要素１２２は、無線インターフェース１１５／１１６／１１７を介して基地局（例えば、基地局１１４ａ）に信号を送信する、または基地局（例えば、基地局１１４ａ）から信号を受信するように構成され得る。例えば、一実施形態では、送信／受信要素１２２は、ＲＦ信号を送信および／または受信するように構成されたアンテナとすることができる。一実施形態では、送信／受信要素１２２は、例えばＩＲ、ＵＶ、または可視光信号を送信および／または受信するように構成された放射体／検出器とすることができる。さらに別の実施形態では、送信／受信要素１２２は、ＲＦ信号と光信号との両方を送信および受信するように構成され得る。送信／受信要素１２２は、無線信号の任意の組み合わせを送信および／または受信するように構成され得ることが理解されよう。
【００５６】
加えて、図１Ｂでは送信／受信要素１２２は単一の要素として示されているが、ＷＴＲＵ  １０２は、任意の数の送信／受信要素１２２を含むことができる。より具体的には、ＷＴＲＵ  １０２は、ＭＩＭＯ技術を採用することができる。よって、一実施形態では、ＷＴＲＵ  １０２は、無線インターフェース１１５／１１６／１１７を介して無線信号を送受信するための２つ以上の送信／受信要素１２２（例えば、複数のアンテナ）を含むことができる。
【００５７】
送受信機１２０は、送信／受信要素１２２によって送信されることになっている信号を変調し、送信／受信要素１２２によって受信される信号を復調するように構成され得る。上記のように、ＷＴＲＵ  １０２は、マルチモード機能を有し得る。よって、送受信機１２０は、ＷＴＲＵ  １０２が、例えばＵＴＲＡおよびＩＥＥＥ８０２．１１などの複数のＲＡＴを介して通信できるようにするための複数の送受信機を含むことができる。
【００５８】
ＷＴＲＵ  １０２のプロセッサ１１８は、スピーカ／マイクロフォン１２４、キーパッド１２６、および／またはディスプレイ／タッチパッド／インジケータ１２８（例えば、液晶ディスプレイ（ＬＣＤ）ディスプレイユニットまたは有機発光ダイオード（ＯＬＥＤ）ディスプレイユニット）に結合され、それらからユーザ入力データを受信することができる。プロセッサ１１８はまた、スピーカ／マイクロフォン１２４、キーパッド１２６、および／またはディスプレイ／タッチパッド／インジケータ１２８にユーザデータを出力することができる。加えて、プロセッサ１１８は、固定式メモリ１３０および／またはリムーバブルメモリ１３２などの任意のタイプの適切なメモリからの情報にアクセスし、そのメモリにデータを記憶することができる。固定式メモリ１３０は、ランダムアクセスメモリ（ＲＡＭ）、読み出し専用メモリ（ＲＯＭ）、ハードディスク、または任意の他のタイプのメモリ記憶装置を含むことができる。リムーバブルメモリ１３２は、加入者識別モジュール（ＳＩＭ）カード、メモリスティック、セキュアデジタル（ＳＤ）メモリカードなどを含み得る。一実施形態では、プロセッサ１１８は、サーバまたは家庭用コンピュータ（図示せず）上など、ＷＴＲＵ  １０２上に物理的に配置されていないメモリからの情報にアクセスし、そのメモリにデータを記憶することができる。
【００５９】
プロセッサ１１８は、電源１３４から電力を受け取ることができ、ＷＴＲＵ  １０２内の他の構成要素に対して電力を分配および／または制御するように構成され得る。電源１３４は、ＷＴＲＵ  １０２に電力を供給するための任意の適切な装置であり得る。例えば、電源１３４は、１つ以上の乾電池、太陽電池、燃料電池などを含み得る。
【００６０】
プロセッサ１１８はまた、ＷＴＲＵ  １０２の現在位置に関する位置情報（例えば、経度および緯度）を提供するように構成され得るＧＰＳチップセット１３６に結合され得る。ＧＰＳチップセット１３６からの情報に加えて、またはその代わりに、ＷＴＲＵ  １０２は、無線インターフェース１１５／１１６／１１７を介して基地局（例えば、基地局１１４ａ、１１４ｂ）から位置情報を受信することができる、および／または２つ以上の近隣の基地局から受信した信号のタイミングに基づいて、その位置を判定することができる。ＷＴＲＵ  １０２は、一実施形態との整合性を保ちながら、任意の適切な位置判定方法によって位置情報を取得し得ることが理解されよう。
【００６１】
プロセッサ１１８は、他の周辺機器１３８にさらに結合されてもよく、他の周辺機器１３８は、追加の特徴、機能、および／または有線もしくは無線接続を提供する１つ以上のソフトウェアおよび／またはハードウェアモジュールを備え得る。例えば、周辺機器１３８としては、加速度計などの様々なセンサ、バイオメトリクス（例えば、指紋）センサ、ｅコンパス、衛星送受信機、デジタルカメラ（写真またはビデオ用）、ユニバーサルシリアルバス（ＵＳＢ）ポートまたは他の相互接続インターフェース、振動装置、テレビ送受信機、ハンズフリーヘッドセット、ブルートゥース（登録商標）モジュール、周波数変調（ＦＭ）無線装置、デジタル音楽プレーヤ、メディアプレーヤ、ビデオゲームプレーヤモジュール、インターネットブラウザなどを挙げることができる。
【００６２】
ＷＴＲＵ  １０２は、センサ、家庭用電化製品、スマートウォッチまたはスマートウェアなどのウェアラブルデバイス、医療機器またはｅＨｅａｌｔｈデバイス、ロボット、産業機器、無人機、自動車、トラック、電車、または航空機などの航走体などの他の装置またはデバイスで実施することができる。ＷＴＲＵ  １０２は、周辺機器１３８のうちの１つを備え得る相互接続インターフェースなどの１つ以上の相互接続インターフェースを介してそのような装置またはデバイスの他のコンポーネント、モジュール、またはシステムに接続することができる。
【００６３】
図１Ｃは、一実施形態によるＲＡＮ  １０３およびコアネットワーク１０６のシステム図である。上記のように、ＲＡＮ  １０３は、無線インターフェース１１５を介してＷＴＲＵ  １０２ａ、１０２ｂ、および１０２ｃと通信するためにＵＴＲＡ無線技術を使用することができる。ＲＡＮ  １０３はまた、コアネットワーク１０６と通信してもよい。図１Ｃに示すように、ＲＡＮ  １０３は、無線インターフェース１１５を介してＷＴＲＵ  １０２ａ、１０２ｂ、１０２ｃと通信するための１つ以上の送受信機をそれぞれ含むことができるＮｏｄｅＢ  １４０ａ、１４０ｂ、１４０ｃを備え得る。ＮｏｄｅＢ  １４０ａ、１４０ｂ、１４０ｃは、ＲＡＮ  １０３内の特定のセル（図示せず）にそれぞれ関連付けられ得る。ＲＡＮ  １０３はまた、ＲＮＣ１４２ａ、１４２ｂを含み得る。ＲＡＮ  １０３は、一実施形態との整合性を保ちながら、任意の数のＮｏｄｅＢおよびＲＮＣを含み得ることが理解されよう。
【００６４】
図１Ｃに示すように、ＮｏｄｅＢ  １４０ａ、１４０ｂは、ＲＮＣ  １４２ａと通信することができる。加えて、ＮｏｄｅＢ  １４０ｃは、ＲＮＣ  １４２ｂと通信することができる。ＮｏｄｅＢ  １４０ａ、１４０ｂ、１４０ｃは、Ｉｕｂインターフェースを介してそれぞれのＲＮＣ  １４２ａ、１４２ｂと通信することができる。ＲＮＣ  １４２ａ、１４２ｂは、Ｉｕｒインターフェースを介して互いに通信することができる。ＲＮＣ  １４２ａ、１４２ｂのそれぞれは、自身が接続されているそれぞれのＮｏｄｅＢ  １４０ａ、１４０ｂ、１４０ｃを制御するように構成され得る。加えて、ＲＮＣ  １４２ａ、１４２ｂのそれぞれは、外部ループ電力制御、負荷制御、許可制御、パケットスケジューリング、ハンドオーバ制御、マクロダイバーシチ、セキュリティ機能、データ暗号化などの他の機能を実行またはサポートするように構成され得る。
【００６５】
図１Ｃに示されるコアネットワーク１０６は、メディアゲートウェイ（ＭＧＷ）１４４、モバイル交換センター（ＭＳＣ）１４６、サービングＧＰＲＳサポートノード（ＳＧＳＮ）１４８、および／またはゲートウェイＧＰＲＳサポートノード（ＧＧＳＮ）１５０を含み得る。上記の要素のそれぞれはコアネットワーク１０６の一部として示されているが、これらの要素のうちの任意の１つが、コアネットワーク事業者以外のエンティティによって所有および／または運用されてもよいことが理解されよう。
【００６６】
ＲＡＮ  １０３内のＲＮＣ  １４２ａは、ＩｕＣＳインターフェースを介してコアネットワーク１０６内のＭＳＣ  １４６に接続され得る。ＭＳＣ  １４６は、ＭＧＷ  １４４に接続され得る。ＭＳＣ  １４６およびＭＧＷ  １４４は、ＷＴＲＵ  １０２ａ、１０２ｂ、１０２ｃと従来の地上通信装置との間の通信を容易にするために、ＰＳＴＮ  １０８などの回線交換網へのアクセスをＷＴＲＵ  １０２ａ、１０２ｂ、１０２ｃに提供することができる。
【００６７】
ＲＡＮ  １０３内のＲＮＣ  １４２ａはまた、ＩｕＰＳインターフェースを介してコアネットワーク１０６内のＳＧＳＮ  １４８に接続され得る。ＳＧＳＮ１４８はＧＧＳＮ１５０に接続され得る。ＳＧＳＮ  １４８およびＧＧＳＮ  １５０は、ＷＴＲＵ  １０２ａ、１０２ｂ、１０２ｃとＩＰ対応デバイスとの間の通信を容易にするために、インターネット１１０などのパケット交換網へのアクセスをＷＴＲＵ  １０２ａ、１０２ｂ、１０２ｃに提供することができる。
【００６８】
上記のように、コアネットワーク１０６はまた、他のサービスプロバイダによって所有および／または運用される有線または無線通信ネットワークを含み得るネットワーク１１２に接続され得る。
【００６９】
図１Ｄは、一実施形態によるＲＡＮ  １０４およびコアネットワーク１０７のシステム図である。上記のように、ＲＡＮ  １０４は、無線インターフェース１１６を介してＷＴＲＵ  １０２ａ、１０２ｂ、および１０２ｃと通信するためにＥ−ＵＴＲＡ無線技術を使用することができる。ＲＡＮ  １０４はまた、コアネットワーク１０７と通信してもよい。
【００７０】
ＲＡＮ１０４は、ｅＮｏｄｅＢ  １６０ａ、１６０ｂ、１６０ｃを含み得るが、ＲＡＮ  １０４は、一実施形態との整合性を保ちながら、任意の数のｅＮｏｄｅＢを含み得ることが理解されよう。ｅＮｏｄｅＢ  １６０ａ、１６０ｂ、１６０ｃは、無線インターフェース１１６を介してＷＴＲＵ  １０２ａ、１０２ｂ、１０２ｃと通信するための１つ以上の送受信機をそれぞれ含み得る。一実施形態では、ｅＮｏｄｅＢ  １６０ａ、１６０ｂ、１６０ｃは、ＭＩＭＯ技術を実装することができる。よって、ｅＮｏｄｅＢ  １６０ａは、例えば、ＷＴＲＵ  １０２ａに無線信号を送信し、そこから無線信号を受信するために複数のアンテナを使用することができる。
【００７１】
ｅＮｏｄｅＢ  １６０ａ、１６０ｂ、および１６０ｃのそれぞれは、特定のセル（図示せず）に関連付けられてもよく、無線リソース管理判断、ハンドオーバ判断、アップリンクおよび／またはダウンリンクにおけるユーザのスケジューリングなどを扱うように構成され得る。図１Ｄに示すように、ｅＮｏｄｅＢ  １６０ａ、１６０ｂ、１６０ｃは、Ｘ２インターフェースを介して互いに通信することができる。
【００７２】
図１Ｄに示されるコアネットワーク１０７は、モビリティ管理ゲートウェイ（ＭＭＥ）１６２と、サービングゲートウェイ１６４と、パケットデータネットワーク（ＰＤＮ）ゲートウェイ１６６と、を含み得る。上記の要素のそれぞれはコアネットワーク１０７の一部として示されているが、これらの要素のうちの任意の１つが、コアネットワーク事業者以外のエンティティによって所有および／または運用されてもよいことが理解されよう。
【００７３】
ＭＭＥ  １６２は、Ｓ１インターフェースを介してＲＡＮ  １０４内のｅＮｏｄｅＢ  １６０ａ、１６０ｂ、および１６０ｃのそれぞれに接続することができ、制御ノードとして機能することができる。例えば、ＭＭＥ  １６２は、ＷＴＲＵ  １０２ａ、１０２ｂ、１０２ｃのユーザの認証、ベアラのアクティブ化／非アクティブ化、ＷＴＲＵ  １０２ａ、１０２ｂ、１０２ｃの初期アタッチ中の特定のサービングゲートウェイの選択などを担当することができる。ＭＭＥ  １６２はまた、ＲＡＮ  １０４と、ＧＳＭまたはＷＣＤＭＡなどの他の無線技術を採用する他のＲＡＮ（図示せず）との間で切り替えるためのコントロールプレーン機能を提供することができる。
【００７４】
サービングゲートウェイ１６４は、Ｓ１インターフェースを介してＲＡＮ  １０４内のｅＮｏｄｅＢ  １６０ａ、１６０ｂ、および１６０ｃのそれぞれに接続され得る。サービングゲートウェイ１６４は、一般に、ＷＴＲＵ  １０２ａ、１０２ｂ、１０２ｃとの間でユーザデータパケットをルーティングおよび転送することができる。サービングゲートウェイ１６４はまた、ｅＮｏｄｅＢ間ハンドオーバ中にユーザプレーンを固定すること、ダウンリンクデータがＷＴＲＵ  １０２ａ、１０２ｂ、１０２ｃに利用可能であるときにページングをトリガすること、ＷＴＲＵ  １０２ａ、１０２ｂ、１０２ｃのコンテキストを管理および記憶することなどの他の機能を実行し得る。
【００７５】
サービングゲートウェイ１６４はまた、ＷＴＲＵ  １０２ａ、１０２ｂ、１０２ｃとＩＰ対応デバイスとの間の通信を容易にするために、インターネット１１０などのパケット交換網へのアクセスをＷＴＲＵ  １０２ａ、１０２ｂ、１０２ｃに提供することができる、ＰＤＮゲートウェイ１６６に接続され得る。
【００７６】
コアネットワーク１０７は、他のネットワークとの通信を容易にすることができる。例えば、コアネットワーク１０７は、ＷＴＲＵ  １０２ａ、１０２ｂ、１０２ｃと従来の地上通信装置との間の通信を容易にするために、ＰＳＴＮ  １０８などの回線交換網へのアクセスをＷＴＲＵ  １０２ａ、１０２ｂ、１０２ｃに提供することができる。例えば、コアネットワーク１０７は、コアネットワーク１０７とＰＳＴＮ  １０８との間のインターフェースとして機能するＩＰゲートウェイ（例えば、ＩＰマルチメディアサブシステム（ＩＭＳ）サーバ）を含むか、またはこれと通信することができる。加えて、コアネットワーク１０７は、他のサービスプロバイダによって所有および／または運用される有線または無線通信ネットワークを含み得るネットワーク１１２へのアクセスをＷＴＲＵ  １０２ａ、１０２ｂ、１０２ｃに提供し得る。
【００７７】
図１Ｅは、一実施形態によるＲＡＮ  １０５およびコアネットワーク１０９のシステム図である。ＲＡＮ１０５は、無線インターフェース１１７を介してＷＴＲＵ１０２ａ、１０２ｂ、および１０２ｃと通信するためにＩＥＥＥ８０２．１６無線技術を採用するアクセスサービスネットワーク（ＡＳＮ）とすることができる。以下でさらに論じるように、ＷＴＲＵ  １０２ａ、１０２ｂ、１０２ｃ、ＲＡＮ  １０５、およびコアネットワーク１０９の異なる機能エンティティ間の通信リンクは、基準点として定義され得る。
【００７８】
図１Ｅに示すように、ＲＡＮ１０５は、基地局１８０ａ、１８０ｂ、１８０ｃ、およびＡＳＮゲートウェイ１８２を含み得るが、ＲＡＮ  １０５は、一実施形態との整合性を保ちながら、任意の数の基地局およびＡＳＮゲートウェイを含み得ることが理解されよう。基地局１８０ａ、１８０ｂ、１８０ｃは、ＲＡＮ  １０５内の特定のセルにそれぞれ関連付けられ、無線インターフェース１１７を介してＷＴＲＵ  １０２ａ、１０２ｂ、１０２ｃと通信するための１つ以上の送受信機を含み得る。一実施形態では、基地局１８０ａ、１８０ｂ、１８０ｃは、ＭＩＭＯ技術を実装することができる。よって、基地局１８０ａは、例えば、ＷＴＲＵ  １０２ａに無線信号を送信し、そこから無線信号を受信するために複数のアンテナを使用することができる。基地局１８０ａ、１８０ｂ、１８０ｃはまた、ハンドオフトリガリング、トンネル確立、無線リソース管理、トラフィック分類、サービス品質（ＱｏＳ）ポリシー施行などのモビリティ管理機能を提供することができる。ＡＳＮゲートウェイ１８２は、トラフィックアグリゲーションポイントとして機能することができ、ページング、加入者プロファイルのキャッシング、コアネットワーク１０９へのルーティングなどを担当し得る。
【００７９】
ＷＴＲＵ  １０２ａ、１０２ｂ、１０２ｃとＲＡＮ  １０５との間の無線インターフェース１１７は、ＩＥＥＥ８０２．１６仕様を実装するＲ１基準点として定義され得る。加えて、ＷＴＲＵ  １０２ａ、１０２ｂ、および１０２ｃのそれぞれは、コアネットワーク１０９との論理インターフェース（図示せず）を確立することができる。ＷＴＲＵ  １０２ａ、１０２ｂ、１０２ｃとコアネットワーク１０９との間の論理インターフェースは、認証、許可、ＩＰホスト構成管理、および／またはモビリティ管理に使用され得るＲ２基準点として定義され得る。
【００８０】
基地局１８０ａ、１８０ｂ、および１８０ｃのそれぞれの間の通信リンクは、ＷＴＲＵハンドオーバおよび基地局間のデータ転送を容易にするためのプロトコルを含むＲ８基準点として定義され得る。基地局１８０ａ、１８０ｂ、１８０ｃとＡＳＮゲートウェイ１８２との間の通信リンクは、Ｒ６基準点として定義され得る。Ｒ６基準点は、ＷＴＲＵ  １０２ａ、１０２ｂ、１０２ｃのそれぞれに関連付けられたモビリティイベントに基づいてモビリティ管理を容易にするためのプロトコルを含み得る。
【００８１】
図１Ｅに示すように、ＲＡＮ  １０５はコアネットワーク１０９に接続され得る。ＲＡＮ  １０５とコアネットワーク１０９との間の通信リンクは、例えば、データ転送およびモビリティ管理機能を容易にするためのプロトコルを含むＲ３基準点として定義され得る。コアネットワーク１０９は、モバイルＩＰホームエージェント（ＭＩＰ−ＨＡ）１８４と、認証、許可、課金（ＡＡＡ）サーバ１８６と、ゲートウェイ１８８と、を備え得る。上記の要素のそれぞれはコアネットワーク１０９の一部として示されているが、これらの要素のうちの任意の１つが、コアネットワーク事業者以外のエンティティによって所有および／または運用されてもよいことが理解されよう。
【００８２】
ＭＩＰ−ＨＡは、ＩＰアドレス管理を担当することができ、ＷＴＲＵ  １０２ａ、１０２ｂ、および１０２ｃが異なるＡＳＮおよび／または異なるコアネットワーク間をローミングできるようにし得る。ＭＩＰ−ＨＡ  １８４は、ＷＴＲＵ  １０２ａ、１０２ｂ、１０２ｃとＩＰ対応デバイスとの間の通信を容易にするために、インターネット１１０などのパケット交換網へのアクセスをＷＴＲＵ  １０２ａ、１０２ｂ、１０２ｃに提供することができる。ＡＡＡサーバ１８６は、ユーザ認証およびユーザサービスのサポートを担当し得る。ゲートウェイ１８８は他のネットワークとの相互作用を容易にすることができる。例えば、ゲートウェイ１８８は、ＷＴＲＵ  １０２ａ、１０２ｂ、１０２ｃと従来の地上通信装置との間の通信を容易にするために、ＰＳＴＮ  １０８などの回線交換網へのアクセスをＷＴＲＵ  １０２ａ、１０２ｂ、１０２ｃに提供することができる。加えて、ゲートウェイ１８８は、他のサービスプロバイダによって所有および／または運用される有線または無線通信ネットワークを含み得るネットワーク１１２へのアクセスをＷＴＲＵ  １０２ａ、１０２ｂ、１０２ｃに提供し得る。
【００８３】
図１Ｅには示していないが、ＲＡＮ  １０５は他のＡＳＮに接続することができ、コアネットワーク１０９は他のコアネットワークに接続することができることが理解されよう。ＲＡＮ  １０５と他のＡＳＮとの間の通信リンクは、ＲＡＮ  １０５と他のＡＳＮとの間でＷＴＲＵ  １０２ａ、１０２ｂ、１０２ｃのモビリティを調整するためのプロトコルを含み得るＲ４基準点として定義され得る。コアネットワーク１０９と他のコアネットワークとの間の通信リンクは、ホームコアネットワークと訪問先コアネットワークとの間の相互作用を容易にするためのプロトコルを含み得るＲ５基準として定義され得る。
【００８４】
本明細書に記載され図１Ａ、図１Ｃ、図１Ｄ、および図１Ｅに示されるコアネットワークエンティティは、特定の既存の３ＧＰＰ仕様書においてそれらのエンティティに与えられた名前によって識別されるが、これらのエンティティおよび機能は、将来、他の名前で識別される場合があり、特定のエンティティまたは機能は、将来の３ＧＰＰ  ＮＲ仕様を含む、３ＧＰＰによって公表された将来の仕様では組み合わされる場合がある。よって、図１Ａ、図１Ｂ、図１Ｃ、図１Ｄ、および図１Ｅに説明および図示されている特定のネットワークエンティティおよび機能は、単なる例として提供されたものであり、本明細書に開示され、特許請求の範囲で定義される主題は、現在定義されているか将来定義されるかにかかわらず、任意の同様の通信システムで実施または実装され得ることを理解されたい。
【００８５】
図１Ｆは、ＲＡＮ  １０３／１０４／１０５、コアネットワーク１０６／１０７／１０９、ＰＳＴＮ  １０８、インターネット１１０、または他のネットワーク１１２における特定のノードまたは機能エンティティなどの、図１Ａ、図１Ｃ、図１Ｄ、および図１Ｅに示される通信ネットワークの１つ以上の装置が実施され得る例示的なコンピューティングシステム９０のブロック図である。コンピューティングシステム９０は、コンピュータまたはサーバを備えることができ、どこにまたはどんな手段で記憶またはアクセスされるかを問わないソフトウェアの形態であり得るコンピュータ可読命令によって主に制御され得る。このようなコンピュータ可読命令は、コンピューティングシステム９０に作業をさせるために、プロセッサ９１内で実行され得る。プロセッサ９１は、汎用プロセッサ、専用プロセッサ、従来のプロセッサ、デジタルシグナルプロセッサ（ＤＳＰ）、複数のマイクロプロセッサ、ＤＳＰコアと協働する１つ以上のマイクロプロセッサ、コントローラ、マイクロコントローラ、特定用途向け集積回路（ＡＳＩＣ）、フィールドプログラマブルゲートアレイ（ＦＰＧＡ）回路、任意の他のタイプの集積回路（ＩＣ）、状態機械などとすることができる。プロセッサ９１は、信号符号化、データ処理、電力制御、入出力処理、および／またはコンピューティングシステム９０が通信ネットワーク内で動作できるようにする任意の他の機能を実行することができる。コプロセッサ８１は、メインプロセッサ９１とは異なる任意のプロセッサであり、追加の機能を実行したりプロセッサ９１を支援したりし得る。プロセッサ９１および／またはコプロセッサ８１は、本明細書に開示されている方法および装置に関連するデータを受信、生成、および処理することができる。
【００８６】
動作中、プロセッサ９１は、命令をフェッチし、復号し、実行し、またコンピュータシステムの主データ転送経路であるシステムバス８０を介して他のリソースとの間で情報を転送する。このようなシステムバスは、コンピューティングシステム９０内の構成要素を接続し、データ交換のための媒体を規定する。システムバス８０は、典型的には、データを送信するためのデータラインと、アドレスを送信するためのアドレスラインと、割り込みを送信するため、およびシステムバスを動作させるための制御ラインと、を備える。このようなシステムバス８０の一例としては、ＰＣＩ（ペリフェラル・コンポーネント・インターコネクト）バスがある。
【００８７】
システムバス８０に結合されたメモリは、ランダムアクセスメモリ（ＲＡＭ）８２と読み取り専用メモリ（ＲＯＭ）９３とを含む。このようなメモリは、情報を記憶し検索することを可能にする回路を備える。ＲＯＭ９３は、一般に、容易に修正することができない記憶データを含む。ＲＡＭ８２に記憶されたデータは、プロセッサ９１または他のハードウェア装置によって読み取られ得る、または変更され得る。ＲＡＭ８２および／またはＲＯＭ９３へのアクセスは、メモリコントローラ９２によって制御され得る。メモリコントローラ９２は、命令が実行されると、仮想アドレスを物理アドレスに変換するアドレス変換機能を提供し得る。メモリコントローラ９２はまた、システム内のプロセスを隔離し、システムプロセスをユーザプロセスから隔離するメモリ保護機能を提供し得る。よって、第１のモードで稼働しているプログラムは、それ自身のプロセス仮想アドレス空間によってマップされたメモリのみにアクセスすることができ、プロセス間のメモリ共有が設定されていない限り、別のプロセスの仮想アドレス空間内のメモリにアクセスすることはできない。
【００８８】
加えて、コンピューティングシステム９０は、プロセッサ９１からの指示をプリンタ９４、キーボード８４、マウス９５、およびディスクドライブ８５などの周辺機器に伝達する役割を果たす周辺機器コントローラ８３を備え得る。
【００８９】
ディスプレイコントローラ９６によって制御されるディスプレイ８６は、コンピューティングシステム９０によって生成された視覚的出力を表示するために使用される。このような視覚的出力は、テキスト、グラフィック、アニメーショングラフィック、およびビデオを含み得る。視覚的出力は、グラフィカルユーザインターフェース（ＧＵＩ）の形態で提示されてもよい。ディスプレイ８６は、ＣＲＴベースのビデオディスプレイ、ＬＣＤベースのフラットパネルディスプレイ、ガスプラズマベースのフラットパネルディスプレイ、またはタッチパネルで実装され得る。ディスプレイコントローラ９６は、ディスプレイ８６に送信されるビデオ信号を生成するのに必要な電子構成要素を備える。
【００９０】
さらに、コンピューティングシステム９０は、例えば、ＲＡＮ  １０３／１０４／１０５、コアネットワーク１０６／１０７／１０９、ＰＳＴＮ  １０８、インターネット１１０、または図１Ａ、図１Ｂ、図１Ｃ、図１Ｄ、および図１Ｅの他のネットワーク１１２などの外部通信ネットワークにコンピューティングシステム９０を接続するために使用され得るネットワークアダプタ９７などの通信回路を備えて、コンピューティングシステム９０がそれらのネットワークの他のノードまたは機能エンティティと通信できるようにし得る。通信回路は、単独で、またはプロセッサ９１と組み合わされて、本明細書で説明される特定の装置、ノード、または機能エンティティの送信および受信ステップを実行するために使用され得る。
【００９１】
本明細書に記載の装置、システム、方法、およびプロセスのいずれかまたはすべては、コンピュータ可読記憶媒体に記憶されたコンピュータ実行可能命令（例えば、プログラムコード）の形で実施され、この命令は、プロセッサ１１８または９１などのプロセッサによって実行された場合、本明細書に記載のシステム、方法およびプロセスをプロセッサに実行および／または実装させ得ることが理解されよう。具体的には、本明細書で説明されるステップ、動作、または機能のいずれも、無線および／または有線ネットワーク通信用に構成された装置またはコンピューティングシステムのプロセッサ上で実行される、そのようなコンピュータ実行可能命令の形で実装され得る。コンピュータ可読記憶媒体は、情報を記憶するための任意の非一時的（例えば、有形または物理的）方法または技術で実装される揮発性および不揮発性、取り外し可能および固定式の媒体を含むが、そのようなコンピュータ可読記憶媒体は信号を含まない。コンピュータ可読記憶媒体は、ＲＡＭ、ＲＯＭ、ＥＥＰＲＯＭ、フラッシュメモリ、もしくは他のメモリ技術、ＣＤ−ＲＯＭ、デジタル多用途ディスク（ＤＶＤ）、もしくは他の光ディスク記憶装置、磁気カセット、磁気テープ、磁気ディスク記憶装置、もしくは他の磁気記憶装置、または所望の情報を記憶するために使用することができ、コンピューティングシステムによってアクセスされ得る任意の他の有形または物理的媒体を含むがこれらに限定されない。
【００９２】
［ＬＴＥにおける参照信号］
ＤＬ  ＲＳは、特定の基準エレメント（ＲＥ）をダウンリンク時間−周波数ＲＥグリッドにおいて占有する、事前に定義された信号である。ＬＴＥ仕様は、異なる目的のために異なる方法で送信されるいくつかのタイプのＤＬ  ＲＳを含む。ＤＬ  ＲＳの１つの目的は、セル固有参照信号（ＣＲＳ）を含む。ＣＲＳは、例えば、（１）ＤＬ物理チャネルのコヒーレント復調のためのチャネル推定のために、ユーザ機器（ＵＥ）によって、（２）チャネル状態情報（ＣＳＩ）を取得するために、ＵＥによって、（３）セル選択およびハンドオーバの測定のために、ＵＥによって使用される。
【００９３】
ＤＬ  ＲＳの別の目的は、復調参照信号（ＤＭ−ＲＳ）を含む。これらは、ＵＥ固有参照信号と呼ばれる。これらは、例えば、（１）特定のＵＥによるチャネル推定を実行するために使用され、そのＵＥへのＰＤＳＣＨ／ｅＰＤＣＣＨ送信に特に割り当てられたＲＢ内でのみ送信され、また（２）データ信号との関連付けおよびデータと同じプリコーダによる送信前のプリコーディングを実行するために使用される。
【００９４】
ＤＬ  ＲＳのさらに別の目的は、チャネル状態情報参照信号（ＣＳＩ−ＲＳ）を含む。これは、チャネル依存スケジューリング、リンクアダプテーション、およびマルチアンテナ送信のためにＣＳＩを取得するためにＵＥによって使用される。
【００９５】
これとは別に、参照信号はまた、ＬＴＥのアップリンクでＬＴＥ  ＤＬと同様に使用される。具体的には、２つのタイプのＲＳがＬＴＥ  ＵＬに対して定義されている。これらのＲＳのうちの１つは、ＵＬ復調参照信号（ＤＭ−ＲＳ）を含む。これは、物理アップリンク共有チャネル（ＰＵＳＣＨ）および物理アップリンク制御チャネル（ＰＵＣＣＨ）のコヒーレント復調のためのチャネル推定のために基地局によって使用される。ＤＭ−ＲＳは、ＰＵＳＣＨ／ＰＵＣＣＨ送信に特に割り当てられたＲＢ内で送信され、対応する物理チャネルと同じ周波数範囲に及ぶ。
【００９６】
別の参照信号は、ＵＬサウンディング参照信号（ＳＲＳ）を含む。これは、アップリンクチャネル依存スケジューリングおよびリンクアダプテーションをサポートするためのＣＳＩ推定のために基地局によって使用される。ＳＲＳはまた、チャネル相反性の場合にＤＬに対するＣＳＩ推定値を取得するために基地局によって使用される。
【００９７】
［ＬＴＥにおけるＣＳＩフィードバック］
さらに別の実施形態では、ＤＬチャネル依存スケジューリングはＬＴＥの重要な特徴である。この特徴は、干渉状況を含む瞬時ＤＬチャネル条件に応じてＤＬ送信構成および関連パラメータを選択する。ＤＬチャネル依存スケジューリングをサポートするために、ＵＥはＣＳＩを発展型ＮｏｄｅＢ（ｅＮＢ）に提供する。ｅＮＢはそのスケジューリング判断のために情報を使用する。
【００９８】
ＣＳＩは１つ以上の情報を含む。１つの情報はランク指標（ＲＩ）であり、これは、使用する送信ランク、またはＵＥへのＰＤＳＣＨ送信に使用されるべきである好ましいレイヤの数に関する推奨を提供する。別の情報は、ＰＤＳＣＨ送信に使用するのに好ましいプリコーダを示すプリコーダ行列指標（ＰＭＩ）である。別の情報は、最大１０％のブロック誤り率を達成するための最高の変調符号化方式を表すチャネル品質指標（ＣＱＩ）である。
【００９９】
ＲＩ、ＰＭＩ、およびＣＱＩの組み合わせは、ｅＮＢへのＣＳＩフィードバック報告を形成する。ＣＳＩ報告に含まれる内容は、ＵＥの構成された報告モードに依拠する。例えば、ＵＥが空間多重化マルチアンテナ送信モードにない限り、ＲＩおよびＰＭＩは報告される必要はない。
【０１００】
［ダウンリンク制御情報］
ダウンリンク制御情報（ＤＣＩ）は、ＤＣＩが物理ダウンリンク制御チャネル（ＰＤＣＣＨ）で形成され送信される所定のフォーマットである。ＤＣＩフォーマットは、同じサブフレーム内で物理ダウンリンク共有チャネル（ＰＤＳＣＨ）上で送信されるそのデータをどのように取得するかをＵＥに知らせる。これは、リソースブロックの数、リソース割り当てタイプ、変調方式、リダンダンシバージョン、符号化率などの、ＵＥに関する詳細を運び、ＵＥがリソースグリッドからＰＤＳＣＨを見つけて復号するのを助ける。ＰＤＣＣＨにおけるＬＴＥにおいて使用される様々なＤＣＩフォーマットがある。
【０１０１】
［Ｎｅｗ  Ｒａｄｉｏ（ＮＲ）フレーム構造］
ＮＲフレーム構造を定義するために３ＧＰＰ標準化の努力が進められている。ＮＲのための「自己完結型」時間間隔を構築することが想定されている。図２に示すように、自己完結型時間間隔は、許可のための制御情報、データおよびその確認応答、すなわちＡＣＫ／ＮＡＣＫをすべて時間間隔内に含むと理解され、構成可能なＵＬ／ＤＬ／サイドリンク割り当ておよびそのリソース内の参照信号を有すると予想される。
【０１０２】
現在、３ＧＰＰ標準化では、時間間隔Ｘが、ＤＬ送信部、ガード、およびＵＬ送信部の特徴のうちの１つ以上を含むことができることが合意されている。具体的には、（ｉ）時間間隔ＸのＤＬ送信部分がダウンリンク制御情報および／またはダウンリンクデータ送信および／または参照信号を含むことと、（ｉｉ）時間間隔ＸのＵＬ送信部分がアップリンク制御情報および／またはアップリンクデータ送信および／または参照信号を含むことと、がサポートされる。
【０１０３】
［ＮＲビームフォーミングされたアクセス］
ビームフォーミングされたアクセスのためのフレームワークを設計するために、３ＧＰＰ標準化の努力が進められている。より高い周波数での無線チャネルの特性は、ＬＴＥが現在展開されている６ＧＨｚ未満のチャネルとは大きく異なる。より高い周波数のための新しい無線アクセス技術（ＲＡＴ）を設計することの重要な課題は、より高い周波数帯域におけるより大きな経路損失を克服することにある。このより大きな経路損失に加えて、より高い周波数は、不十分な回折によって引き起こされる閉塞のために好ましくない散乱環境にさらされる。従って、ＭＩＭＯ／ビームフォーミングは、受信側で十分な信号レベルを保証するために不可欠である。
【０１０４】
より高い周波数における付加的な経路損失を補償するためにデジタルＢＦによって使用されるＭＩＭＯデジタルプリコーディングのみに頼ることは、６ＧＨｚ未満と同様のカバレッジを提供するのに十分ではないようである。よって、追加の利得を達成するためにアナログビームフォーミングを使用することは、デジタルビームフォーミングと組み合わせて代替策となり得る。十分に狭いビームが多くのアンテナ素子で形成されるべきであり、それは、ＬＴＥ評価で仮定されたものとはまったく異なる可能性がある。大きなビームフォーミング利得の場合、ビーム幅は対応して減少する傾向があり、従って、大きな指向性アンテナ利得を有するビームは、特に３セクタ構成では水平セクタエリア全体をカバーすることができない。同時高利得ビームの数を制限する要因には、送受信機アーキテクチャのコストと複雑さとが含まれる。
【０１０５】
これらの所見から、狭いカバレッジのビームを用いた時間領域における複数の送信は、異なるサービングエリアをカバーする。本質的に、サブアレイのアナログビームは、ＯＦＤＭシンボルまたはセル内の異なるサービングエリアにわたるビームステアリングの目的のために定義された任意の適切な時間間隔単位の時間分解能で、単一方向にステアリングすることができ、従って、サブアレイの数から、各ＯＦＤＭシンボルまたはビームステアリングの目的のために定義された時間間隔単位に対するビーム方向の数と対応するカバレッジとが定まる。一部の文献では、この目的のために複数の狭いカバレッジのビームを提供することは「ビームスイーピング」と呼ばれてきた。アナログおよびハイブリッドのビームフォーミングでは、ＮＲで基本的なカバレッジを提供するためにビームスイービングが不可欠であると思われる。この概念が図３に示されており、ここで、セクタレベルセルのカバレッジがセクタビームと複数の高利得狭ビームとで実現される。また、大規模ＭＩＭＯを用いたアナログおよびハイブリッドのビームフォーミングでは、異なるサービスエリアをカバーするように狭いカバレッジビームをステアリングした、時間領域における多重送信が、ＮＲにおけるサービングセル内のカバレッジエリア全体をカバーするために不可欠である。
【０１０６】
ビームスイーピングに密接に関連する１つの概念は、制御シグナリングまたはデータ送信に使用され得る、ＵＥとそのサービングセルとの間の最良のビームペアを選択するために使用されるビームペアリングの概念である。ダウンリンク送信の場合、ビームペアはＵＥ  ＲＸビームとＮＲノードＴＸビームとから構成され、一方、アップリンク送信の場合、ビームペアはＵＥ  ＴＸビームとＮＲノード受信機（ＲＸ）ビームとを含む。
【０１０７】
別の概念は、ビーム微調整（ｂｅａｍ  ｒｅｆｉｎｅｍｅｎｔ）に使用されるビームトレーニングに関する。図３に示すように、ビームスイーピングおよびセクタビームペア形成手順中に、より粗いセクタビームフォーミングが適用され得る。次いで、例えばアンテナ重みベクトルが微調整されるビームトレーニングが続き、続いてＵＥとＮＲノードとの間の高利得狭ビームのペアリングが行われる。
【０１０８】
［Ｎｅｗ  Ｒａｄｉｏの要件］
３ＧＰＰ  ＴＲ  ３８．９１３は、Ｎｅｗ  Ｒａｄｉｏ（ＮＲ）技術のシナリオおよび要件を定義している。ｅＭＢＢ、ＵＲＬＬＣ、およびｍＭＴＣデバイスの主要性能指標（ＫＰＩ）を表２にまとめられている。
【表２】
2019528620.tif 000007
【０１０９】
３ＧＰＰ  ＴＲ  ２２．８６３は、ｅＭＢＢシナリオについて、以下のファミリのユースケースを識別し、要件を統合している。例えば、より高いデータレートがあるとき、ファミリは、ピーク、経験、ダウンリンク、アップリンクなどのためのｅＭＢＢ主要データレート要件を導き出すことができる主要なシナリオを識別することに焦点を合わせる。これはまた、ＵＥの対地相対速度が最大１０ｋｍ／ｈまでのとき（歩行者）に、適用できる場合の遅延に関する関連要件も含む。
【０１１０】
別の例はより高い密度に関する。このファミリは、ＵＥの対地相対速度が最大６０ｋｍ／ｈまでのとき（歩行者または都市型自動車で移動しているユーザ）に、エリアあたりの大量のデータトラフィック（トラフィック密度）の転送、または多数の接続（デバイス密度または接続密度）のためのデータ転送に関するシステム要件のシナリオをカバーする。
【０１１１】
別の例は、配備とカバレッジとを含む。これは、ＵＥの対地相対速度が最大１２０ｋｍ／ｈのとき、配備およびカバレッジのシナリオ、例えば屋内／屋外、ローカルエリア接続、ワイドエリア接続を考慮したシステム要件を有するシナリオを含む。
【０１１２】
さらに別の例は、より高いユーザモビリティを含む。ここで、ファミリは、ＵＥの対地相対速度が最大１０００ｋｍ／ｈまでのときに、ｅＭＢＢモビリティ要件を導出できる主要シナリオを特定することに焦点を合わせている。
【０１１３】
［ビームフォーミングベースの初期アクセス］
本出願の一態様によれば、ＮＲシステムのためのビームフォーミングベースの初期アクセスを改善および提供するための解決策が説明される。別の態様では、ＲＲＣ＿Ｃｏｎｎｅｃｔｅｄ状態におけるビームフォーミングトレーニングが説明される。さらに別の態様では、ＮＲシステムのために設計された柔軟なフレーム構造が説明される。
【０１１４】
本出願によれば、ＢＦスイーピングおよびＢＦトレーニングは、ＮＲノード、送信／受信ポイント（ＴＲＰ）またはリモート無線装置（ＲＲＨ）で行われ得ることが想定されている。このため、ＮＲノード、ＴＲＰおよびＲＲＨは交換可能であり得る。さらに、ＤＬ送信および／またはＵＬ送信を含む時間間隔は、異なるヌメロロジに対して柔軟であり、ＲＡＮスライスは、静的にまたは半静的に構成され得る。このような時間間隔はサブフレームと呼ばれる。
【０１１５】
［ビームフォーミングベースの初期アクセス］
一実施形態では、ＮＲノードは、初期アクセスを実行するために周期的ビームフォーミングトレーニング参照信号（ＢＴ−ＲＳ）をＵＥに送信することができる。周期的ＢＴ−ＲＳは、初期アクセス段階中にＵＥのための２つの主要な機能のために役立ち得る。
【０１１６】
これらの機能の１つは、ＤＬタイミング−周波数同期とＰＢＣＨ復調とを含む。ＢＴ−ＲＳは、各周期的初期アクセスＤＬ送信間隔でＮ本の（広角）ビームを介するスイーピングによって送信される。各ビーム初期アクセスＤＬ送信時間長がＱ個のＯＦＤＭシンボルに設定され、Ｋ本のビームが各ビーム送信時間長で同時にＤＬビームスイーピングを実行する場合、すべてのＮ本のビームの合計送信時間長は、
【数１】
2019528620.tif 000008
個のＯＦＤＭシンボルに等しい。ＢＴ−ＲＳは、周波数領域でＬ個のサブバンドを占有することができる。すべてのヌメロロジまたはスライスサブバンドは同じＢＴ−ＲＳサブバンドを共有できる、または、各ヌメロロジまたはスライスサブバンドは独自のＢＴ−ＲＳサブバンドを有する。図２に示す初期アクセスでは、合計Ｎ＝６本のビームの例が設定されている。
【０１１７】
ＢＲ−ＲＳが各ビーム送信時間長において単一ビーム送信のためにのみ構成されている場合、すなわちＫ＝１の場合、各ビーム送信時間長はＱ＝２個のシンボルに設定される。図における例として、ＢＴ−ＲＳの周期Ｐは５つの時間間隔ｘに設定されている。従って、合計ＢＴ−ＲＳ送信時間長は、ＢＴ−ＲＳを運ぶ時間間隔当たり
【数２】
2019528620.tif 000009
個のＯＦＤＭシンボルに等しい。順次ビームスイーピングを図４（ａ）に示す。並列スイーピングを図４（ｂ）に示しており、ここで、合計ＢＴ−ＲＳ送信時間長は、
【数３】
2019528620.tif 000010
個のシンボルに等しい。ハイブリッドスイーピングを図４（ｃ）に示しており、ここで、合計ＢＴ−ＲＳ送信時間長は、
【数４】
2019528620.tif 000011
個のシンボルに等しい。
【０１１８】
ＢＴ−ＲＳ送信の周期Ｐ、ビーム送信時間長に対するシンボル時間長の数Ｑ、同時のビーム送信の数Ｋは、図４（ｃ）のヌメロロジに示すように、ＮＲシステムにおいて複数のヌメロロジまたはＲＡＮスライスをそれぞれサポートするように独立して構成され得る、または３つのＲＡＮスライスサブバンドは、周波数において独自のＢＴ−ＲＳを個々に含む。
【０１１９】
ＢＴ−ＲＳ構成には２つの可能な任意選択肢がある。１つの任意選択肢は、サポートされている各ヌメロロジまたはＲＡＮスライスに独自のＢＴ−ＲＳセットアップ／構成がある場合である。別の任意選択肢は、複数のヌメロロジまたはＲＡＮスライスが同じＢＴ−ＲＳセットアップ／構成を共有する場合である。
【０１２０】
以下の例では、ＮＲシステムにおいて２つの異なるヌメロロジがサポートされていると仮定する。一般性を失うことなく、一方のヌメロロジ（ヌメロロジ１）が他方のヌメロロジ（ヌメロロジ２）よりも広いサブキャリア間隔を持つと仮定する。従って、ヌメロロジ１はヌメロロジ２よりも短いシンボル時間を有する。図５に示す本例では、ヌメロロジ１では、Ｎ１＝５、Ｋ１＝１、およびＱ１＝１であり、ヌメロロジ２では、Ｎ２＝３、Ｋ２＝１、およびＱ２＝２である報知を想定している。本例では、ヌメロロジ１のＢＴ−ＲＳの周期は２サブフレーム（すなわちＰ＝２）に設定され、ヌメロロジ２のＢＴ−ＲＳの周期は５サブフレーム（すなわちＰ＝５）に設定されている。異なるヌメロロジはまた、初期アクセスのために同じＢＴ−ＲＳセットアップを共有することができる、すなわち、ＵＥは、サポートされるすべてのヌメロロジのために共有ＢＴ−ＲＳセットアップを検出するだけでよい。
【０１２１】
図５では、２つのサポートされているヌメロロジを有する共有ＢＴ−ＲＳが示されている。本例では、ＮＲノード／ＴＲＰは、２つのヌメロロジと、ＵＥが初期アクセスを実行するための共有ＢＴ−ＲＳセットアップのみと、をサポートしている。ＢＴ−ＲＳは、遅延、デバイス能力などのＢＦスイーピング要件に応じて、いずれかのヌメロロジのサブバンドに割り当てられ得る。
【０１２２】
さらに、ＢＴ−ＲＳは、自己完結型サブフレームでサポートされ得る。自己完結型サブフレームでは、ＢＴ−ＲＳは、間隔ｘで既知の周波数−時間ＤＬリソースｉに配置され得る。図６では、ＮＲ  ＢＴ−ＲＳは、先頭にある複数のＤＬシンボルに配置され、その周期はＰ＝５個の間隔に設定されている。ＢＴ−ＲＳセットアップは、図７（ａ）に示されるように固定構成で事前に規定されてもよいし、図７（ｂ）に示されるように間隔が異なるヌメロロジで再構成された場合に半静的に構成されてもよい。ＮＲノードまたはＴＲＰによる再構成は、システム情報報知またはＲＲＣまたはＭＡＣメッセージなどの上位層シグナリングを介してＵＥに示され得る。
【０１２３】
［セル（またはセクタもしくはＲＡＮスライス）同期およびタイミング取得］
一実施形態において、ＵＥが初期アクセス段階にあり、セル／セクタ／ＲＡＮスライスのタイミング情報についての知識がない場合。ＵＥは、シンボルタイミング、サブフレーム、およびフレームタイミングを取得するために周期的送信ＢＴ−ＲＳを監視することができる。ＵＥは、ＲＸビームフォーミングを使用してまたは使用せずに、相関するＮ本のビーム（またはＮ本の仮定）に基づいてタイミング同期を実行することができる。ＵＥがＢＴ−ＲＳ内のビーム数を把握することができるようにＢＴ−ＲＳはカウンタと関連付けられ得るため、Ｎ本であることがＵＥに把握され得る。
【０１２４】
ＵＥは、ＴＸＳＳ信号強度に基づいて初期ネットワークアクセスおよび／またはＢＦペアリングを実行するためにビーム／セルを選択する。各ビームｉ＝１，・・・，ＮはビームＩＤに関連付けられ、各ビームＩＤは複数の系列に関連付けられ得る。ビームＩＤに関連付けられている系列の数をＪと表す。ビームＩＤとそれに対応するビーム系列との関連付けは、システムによって事前に規定され得る。例えば、ビーム系列は、ビームＩＤおよびシンボル、サブフレームタイミングを同時に検出しながら、ＵＥがビームｉ＝１，・・・，Ｎを区別できるようにするために、異なるシフトを有するＭ個の系列または他の（半）直交系列を採用することができる。
【０１２５】
各ビームｉ＝１，・・・，Ｎは独自の固有の系列を有しているため。従って、ＵＥは、タイミング検出およびビームＩＤ検出を実行するためにＪ×Ｎの相関器をセットアップすることができる。ＢＴ−ＲＳの送信は既知の周期に基づいているため、各ビームｉ＝１，・・・，Ｎの遅延プロファイルは各ビーム相関出力の蓄積と共に利用することができる。ＢＴ−ＲＳビームＩＤおよび関連するビーム系列の一例を図８に示す。具体的には、Ｎ＝３本のビームがあり、各ビームＩＤが１、２、３と設定されている。ビームＩＤごとに、Ｊ＝２個の系列に関連付けられている。従って、ＵＥが初期アクセス段階中にタイミング−周波数同期を実行する場合、Ｎ本のビームについて検出されるべきＪ×Ｎ個の仮説がある。本例では、各ビームＩＤはＪ＝２個の系列と関連付けられ、関連付けられた各系列は異なる時間またはサブフレーム間隔で送信されるため。従って、ビームＩＤに関連付けられたビーム系列は、フレームタイミングを区別するために使用され得る。図８では、各ビームＩＤは２つの系列に関連付けられ、各ビーム系列は５つのサブフレームだけ繰り返される。本手法では、フレームタイミングを区別することができる。
【０１２６】
ＵＥは、ＲＸビームフォーミング利得が全方向に対して等しいと仮定し、どのセル／セクタビームにアクセスするかをＢＴ−ＲＳの受信信号強度に基づいて判定する。各ビームＩＤは固有の系列と関連付けられているため、ＵＥは関連付けられたビーム系列からビームＩＤを復号することができる。実際には、ビーム系列はＢＴ−ＲＳの受信信号強度に基づいて選択される。ＵＥは初期ビームサーチ手順を実行し、キャンプオンするのに最良のビームを見つける。ＵＥにおけるシンボル、サブフレームタイミング、およびビームＩＤの検出および復号機能を図９に示す。
【０１２７】
［ＰＢＣＨデザイン］
別の実施形態では、ＮＲノード／ＴＲＰはそのＢＴ−ＲＳおよびビームフォーミングされたＰＢＣＨを送信する。ＰＢＣＨは、各ビームに対して対応するＢＴ−ＦＳと同じ仕方でビームフォーミングされるべきである。ＢＣＨは、先行するＢＴ−ＲＳ上で運ばれるＩＤ（ビームＩＤまたはセル／ＴＲＰ／ＲＡＮスライスＩＤ）を検証する目的に役立つ。ＰＢＣＨの内容は、セルまたはＴＲＰまたはＲＡＮスライス共通ＰＢＣＨの内容を含み得る。ＰＢＣＨの共通部分は、ビームスイーピングビーム固有ＢＣＨの内容に従って報知することができる。内容はビームＩＤを含むことができる。ビームＩＤは、ローカルエリア内でローカルに一意のビームＩＤを有するフラットな構造を有することができる（セルＩＤおよびＴＲＰ  ＩＤおよび／またはＲＡＮスライスＩＤを運ばない）。
【０１２８】
内容はまた、階層構造を含み得る。階層構造は、セルＩＤ／ＴＲＰ  ＩＤ（該当する場合）／ＲＡＮスライスＩＤ（該当する場合）／ビームＩＤを含む。階層構造はまた、図３に示すように２つ以上のカバレッジサイズを有するネスト化したビームを含み得る。ここで、より粗いビームは、比較的広いカバレッジと、微調整されたアンテナ重みベクトルを有する高利得狭ビームと、を有する。この場合、２つのサイズのカバレッジビームがある場合、一方はタイプ１のビームとして示され、他方はタイプ２のビームとして示される。タイプ１のビームは、２つ以上のタイプ２のビームを含む、より広角のビームである。ビームＩＤは、セルＩＤ（および／またはＴＲＰ  ＩＤおよび／またはＲＡＮスライス）＋レベル１のビームＩＤ＋レベル２のビームＩＤであり得る。
【０１２９】
複数のビームが同時に報知される場合、各ビームは独自のビームＩＤを有する。タイプ１のビームは、「必須」（または「一次」または「最重要」）システム情報（例えば、ＬＴＥ  ＭＩＢ、ＳＩＢ１、およびＳＩＢ２のＮＲにおける均等物）の報知に使用されてもよく、タイプ２のビームは、例えば、システムアクセスに必須ではないシステム情報、例えばサービス固有のシステム情報の要求に応じたシステム情報の配信に使用されてもよい。初期アクセスのためのＰＢＣＨ設計には２つの任意選択肢があり、第１の任意選択肢はＰＢＣＨがオンデマンド送信であることであり、第２の任意選択肢はＰＢＣＨが各ビーム送信とペアにされることがある。
【０１３０】
［各ビーム送信とのＰＢＣＨ］
初期アクセスにおける別の実施形態では、ＰＢＣＨは、ＤＬ  Ｔｘビームスイーピングにおける各ＴｘビームのＤＬ  ＢＴ−ＲＳの後に常に送信される。このようにして、ＵＥがＤＬ内で有効なＢＴ−ＲＳ（および対応するビーム）を正常に検出し、ビームＩＤを復号すると、ＵＥは、対応するビームフォーミングされたＰＢＣＨの復号を開始することができる。ＵＥは、ＰＢＣＨを復号する前に、ＮＲノードへのビームフォーミングフィードバックまたはそのＴｘビームスイーピング／トレーニングを実行しない。この方法に関するＵＥ手順は、図１２に例示的に示されている。図１１は、フレーム構造におけるＢＴ−ＲＳおよびＰＢＣＨの配置を説明する。
【０１３１】
［ＰＢＣＨ］
この任意選択肢では、ＵＥは、ＮＲノードからビーム取得ＡＣＫを受信するまでＰＢＣＨを復号する必要はない。ビームＩＤフィードバックリソースは、ＮＲシステムによって予約されており、それはＵＥに知られている。加えて、複数のＵＥが同じビームを経験する（または同じＩＤを検出する）場合に競合する可能性があるため、競合が発生する可能性がある。しかしながら、ＵＥは異なる幾何学的位置にあり、一般に同じビームを受けないため、競合の可能性は低い。加えて、ＮＲノードは、非同期化によるアップリンク伝播を吸収することができる。フィードバックメカニズムは、以下の式で提案されるＣＡＺＡＣ系列を使用することができる。
【０１３２】
【数５】
2019528620.tif 000012
【０１３３】
ここで、Ｑは系列長であり、ＣＡＺＡＣ系列のルートｕはビームＩＤの関数として設定でき、αは巡回シフトである。
【０１３４】
第２の選択肢では、ＵＥがビームＩＤとそれに対応するセル／セクタタイミングとを取得すると、ＵＥは、ＴＸビームフォーミングを用いてビームＩＤフィードバックをＮＲノードに送信する。ＵＥからビームＩＤフィードバックを受信すると、ＮＲノードはビーム取得ＡＣＫをＵＥに送信する。この手順は、図１０に例示的に示されている。このようにして、ＵＥはビームトレーニング段階を完了し、ＰＢＣＨを復号しようと試みる準備ができている。そうでなければ、ＵＥは、次の所定の時間−周波数リソースでＵＬビームＩＤフィードバックを再送信する。ビームＩＤフィードバックのための時間および周波数リソースは、ＮＲシステムによって事前に規定され得る。ビームＩＤフィードバックの送信は、ビームＩＤ系列から採用することができる。この固有のビームＩＤフィードバック系列は、検出されたビームＩＤから導出することができる、すなわち、ＵＥは、固有トレーニング系列と共にビームＩＤフィードバックを送信し、このトレーニング系列は検出されたビームＩＤに依存する。ＵＥは、ＲＸビームフォーミング重みを使用することによって、フィードバックトレーニング系列をＮＲノードに送信することができる。例えば、ビーム１は見通しあり（ＬＯＳ）であるため、ＮＲノードがＮ＝８でＢＴ−ＲＳを送信し、ＵＥがビームＩＤ＝１を検出する場合、最良のＲＸ信号強度を有する。同時に、ＵＥはまた、Ｎ＝８のＢＴ−ＲＳを検出するためにＮ＝８の受信ビームフォーミングを形成する。本例では、ＵＥは、１から８までのＲＸビームフォームＩＤを内部で定義できる。各ＲＸビームフォームＩＤは、その対応する受信ＢＦ重みと関連付けられる。ＵＥ内のＲＸビームフォーミング重みを［ｖ１・・・ｖ８］として表すことにし、ここで、各ｖｉはＲＸビームフォーミング重みである。本例では、このＵＥは、最良のＲＸビームフォーミング重みがｖｉ＝５に等しいことを見出す。従って、このＵＥは、ＵＬ  ＴＸビームフォーミング重みをｃｏｎｊ（ｖ５）に設定してビームＩＤ＝１を送信し、ここで、ｃｏｎｊ（・）は共役演算を表す。このことを図１３に例示的に示す。
【０１３５】
ビームフォーミングトレーニングのためのＵＥ初期アクセス手順は、次の図１４に要約されている。ビーム取得ＡＣＫ送信タイミングとそれに割り当てられる時間−周波数リソースは事前に規定され得る。一例として、自己完結型フレーム構造におけるビームＩＤフィードバックは、図１５に示すようにガードシンボルの直後に構成され得る。これらの専用リソースは、ＵＥがＡＣＫをＮＲノードに送り返すために予約されている。競合が発生すると、これらのリソースは複数のＵＥによって競合する場合がある。ＵＥは、次の利用可能な送信リソースまで待たなければならない。図１６（ａ）は、ユーザ機器とＲＨノードとの間の通信を示す。図１６（ｂ）は、ＵＥフィードバック後のＰＢＣＨ送信を示す。
【０１３６】
［アクティブ状態におけるビームフォーミングトレーニング］
本出願の別の態様によれば、アクティブ状態におけるフレーム構造およびビームフォーミング手順について以下の解決策が説明される。既にアクティブ（またはＲＲＣ＿Ｃｏｎｎｅｃｔｅｄ）状態にあるＵＥについては、これらのＵＥがビームフォーミングされた初期アクセスを既に経ていると仮定する。つまり、ＵＥがＤＬにおいて適切なビームを少なくとも取得しており、アップリンク送信においては、最良のビームを発見していてもいなくてもよい。換言すれば、アクティブ状態にあるＵＥは、Ｔｘ−Ｒｘビームをまだペアにしていてもいなくてもよい。
【０１３７】
アクティブ状態にあるＵＥの場合、ビームフォーミングトレーニングは、以下の方法のうちの１つまたはそれらの組み合わせを使用して実行することができる。１つの方法は周期的ビームフォーミングトレーニングを含み、他の方法はオンデマンドビームフォーミングトレーニングを含む。
【０１３８】
［周期的ＢＦトレーニング］
周期的ＢＦトレーニングに関するさらに別の態様によれば、ＢＴ−ＲＳ位置、シグナリング、およびＢＦトレーニング手順と共に以下のフレーム構造が説明される。ＢＦトレーニングは以下の基本的な手順に従い、これについては以降のサブセクションでさらに記載および説明される。これは、各ステップがアラビア数字で示されている図１７に例示的に示されている。ステップ１において、ＮＲノードは、構成された時間および周波数位置でそのＢＴ−ＲＳおよび対応するビームＩＤを周期的に送信する。次いで、ＵＥは、ＮＲノードのＢＴ−ＲＳと対応するビームＩＤとを受信し、このＵＥについてＮＲノードの最良のＴｘビームを判定する（ステップ２）。
【０１３９】
ステップ３において、ＵＥは、（黙示的または明示的にシグナリングされた）そのＵＥ  ＩＤと共に、（最良のビームのビームＩＤを含む）ＢＦトレーニングフィードバックをＮＲノードに送信する。そして、ＵＥはそのＴｘビームスイーピングを実行する。周期的ＢＦトレーニングプロセスにおいて、ビームＩＤフィードバックおよびＴｘビームスイーピングの両方を、コンテンションベースのアップリンクチャネルまたは複数のＵＥによって共有される共通アップリンクチャネル上で送信することができる。ステップ４において、ＮＲノードは、ＵＥのＢＦトレーニングフィードバックおよびＢＴ−ＲＳを受信し、このＮＲノードについてＵＥの最良のＴｘビームを判定する。次に、ＮＲノードは、（最良のビームのビームＩＤを含む）ＢＦトレーニングフィードバックをＵＥに送信する（ステップ５）。ＮＲノードは、ステップ３でＵＥによって送信されたビームフォーミングフィードバックに対する確認応答（ＡＣＫ）を送信することができる。ＡＣＫは、黙示的または明示的にシグナリングされ得る。ステップ３においてフィードバックのために黙示的ＡＣＫを送信する１つの方法は、ステップ３においてビームＩＤがＵＥによって送信されるビームを使用して、ＮＲノードがそのＢＦトレーニングフィードバックをＵＥに送信することである。
【０１４０】
ステップ６において、ＵＥは、自身のステップ３のためにＮＲノードのＢＦトレーニングフィードバックおよびＡＣＫを受信する。その後、ＵＥは、ＮＲノードのＢＦトレーニングフィードバックを正常に受信したことを確認応答するためにＡＣＫを送信する（ステップ７）。ＡＣＫは明示的にシグナリングされ得る。あるいは、ステップ５においてビームＩＤがＮＲノードによって送信されるビームを使用して、ＵＥがデータパケットを送信し始める場合、黙示的ＡＣＫが黙示的に提示される。その後、ＮＲノードとＵＥとは、ビームフォーミングトレーニングから得られた、ペアにされたＵＬビームおよびＤＬビームと通信を開始する（ステップ８）。ビームフォーミング手順は、次のＢＦトレーニング期間まで実行されない。
【０１４１】
［ＮＲノードＴｘビームスイーピング］
本出願のさらに別の態様では、ビームフォーミングトレーニング制御チャネル／信号は、ビームＩＤとビームの総数とを含む明示的な制御情報を有するＢＦトレーニング参照信号（ＢＴ−ＲＳ）として定義される。明示的な制御情報は、ＣＲＣで符号化されてもよい。ビームの総数は任意である。一実施形態では、ビームフォーミングトレーニング制御チャネル／信号は、ＢＴ−ＲＳのみである（明示的な制御情報の一部を含まない）。
【０１４２】
すべてのビーム（またはすべてのビームの事前に規定されたサブセット）をスイーピングする一連のＢＦトレーニング制御チャネル／信号は、ＮＲノードビームスイーピングバーストとして定義される。ＮＲノードビームスイープバーストおよびＢＦトレーニング周期の定義を説明する目的で、（ビームがＯＦＤＭシンボルごとにスイーピングされる）周期的ＢＦトレーニングの一般的な図を図１８に示す。ＮＲノードビームスイープバーストは、ＰＢＴのＢＲトレーニング周期で周期的に送信される。
【０１４３】
代替的な実施形態によれば、ＯＦＤＭシンボルごとの複数のビームのスイーピングは、複数のサブアレイによって、またはハイブリッドビームフォーミングが適用される場合には周波数領域において実行され得る。ＢＴ−ＲＳは、Ｌ個のサブバンドの周波数リソースで送信されるべきであり、各サブバンドは所定数のサブキャリアを含む。これらのＢＴ−ＲＳサブバンドは、ＵＥに知られている位置に配置されるべきである。例えば、キャリアの中心周波数に、または中心周波数からのオフセットにである。アナログビームフォーミングに使用されるサブアレイの数が１よりも大きい場合、ＯＦＤＭシンボルごとの複数のビームのスイーピングを実行することができる。ＯＦＤＭシンボルごとに４つのサブアレイによって生成される、４本のビームの例を図１９に示す。ハイブリッドビームフォーミングでは、各ＯＦＤＭシンボルにおいて、周波数領域において複数のビームを同時にスイーピングすることができる。
【０１４４】
アナログおよび／またはハイブリッドビームフォーミングに使用されるサブアレイの数が１よりも大きい場合、ＯＦＤＭシンボルごとの複数のビームのスイーピングを実行することができる。ビームの総数＝Ｎ本の場合、シンボルごとにスイーピングされるビームの数はＫで表される。その結果、すべてのビームをスイーピングするのにかかるのはＳ＝［Ｎ／Ｋ］だけである。同じＯＦＤＭシンボル内でスイーピングされる複数のビームは、連続的でも等距離でもよい。等距離ビームの場合、２つの最も近いビーム間の距離は［Ｎ／Ｋ］に等しい。さらに、ＮＲノードビームスイープバーストにおけるｉ番目のＯＦＤＭシンボルのビームＩＤは、Ｂｉ、Ｂｉ＋［Ｎ／Ｋ］、Ｂｉ＋２［Ｎ／Ｋ］、およびＢｉ＋（Ｋ−１）［Ｎ／Ｋ］である。
【０１４５】
システムに適用されるハイブリッドビームフォーミングでは、各ＯＦＤＭシンボルにおいて、周波数領域において複数のビームを同時にスイーピングすることができる。ビームの総数＝Ｎ本の場合、シンボルごとに周波数領域でスイーピングされるビームの数をＭで表すと、すべてのビームをスイーピングするのにかかるのはＳ＝［Ｎ／Ｍ］だけである。周波数領域でスイーピングされる複数のビームは、連続的でも等距離でもよい。等距離ビームの場合、２つの最も近いビーム間の距離は［Ｎ／Ｍ］に等しく、ＮＲノードビームスイープバーストにおけるｉ番目のＯＦＤＭシンボルのビームＩＤは、Ｂｉ、Ｂｉ＋［Ｎ／Ｋ］、Ｂｉ＋２［Ｎ／Ｋ］、およびＢｉ＋（Ｋ−１）［Ｎ／Ｋ］である。
【０１４６】
以下のシグナリングまたは仕様は、周期的ＢＦトレーニングを可能にするのに役立つ。これには、アクティブ状態のビームの総数Ｎが含まれる。このパラメータはＳＩＢでシグナリングするか、標準で固定値として指定することができる。別の信号は、ビームスイーピング方法の指示がＳＩＢにおいてシグナリングされ得る、またはそのうちの１つが標準で使用される唯一の方法として指定される、ビームスイーピング方法を含む。ここでは、ＯＦＤＭシンボルごとに単一のビームがスイーピングされる。また、複数のサブアレイによって生成された複数のビームは、ＯＦＤＭシンボルごとにスイーピングされる。また、ＯＦＤＭシンボルごとに複数のビームが周波数領域でスイーピングされる。
【０１４７】
別の信号は、ＯＦＤＭシンボルごとにＫ本のビームがスイーピングされる場合である。これはＳＩＢでシグナリングされ得る、または固定値が標準で指定される。このパラメータは、上記の対応するビームスイーピング方法のＯＦＤＭシンボルごとのスイーピングされるビームの数である。
【０１４８】
別の信号は、ＢＴ−ＲＳの周波数領域の位置である。ここで、ＢＴ−ＲＳによって占有されるサブバンドの数、Ｌ個のサブバンドは、標準において固定値として指定され得る。または、サブバンドの数は、各セル、もしくはセルのＢＦトレーニングの構成によって異なり得る。従って、これはＳＩＢなどのＲＲＣシグナリングによってシグナリングされる。
【０１４９】
ＢＴ−ＲＳによって占有されるＬ個のサブバンドの位置は、標準において固定位置（例えば、中心周波数またはセルサーチ信号などと同じ）として指定され得る。または、サブバンドの位置は、各セル、もしくはセルのＢＦトレーニングの構成によって異なり得るため、ＳＩＢなどのＲＲＣシグナリングによってシグナリングされ得る。例えば、ＢＴ−ＲＳによって占有されるＬ個のサブバンドの位置は、Ｌ個のサブバンドの開始サブキャリアインデックスとしてシグナリングすることができ、これは、Ｌ個のサブバンドを識別するのに十分である。あるいは、サブバンドの位置は、ＢＴ−ＲＳによって占有されるＬ個のサブバンドが、中心周波数から離れたＯＢＴサブキャリアのオフセット（またはＨｚ／ｋＨｚの単位の等価な周波数）に位置している、としてシグナリングされ得る。
【０１５０】
さらに別の信号がビームＩＤを対象としている。ＯＦＤＭシンボルごとに１つのビームがスイーピングされる場合、または周波数領域で複数のビームがスイーピングされる場合、ビームＩＤは、ビームトレーニング信号で明示的にシグナリングされ得る、または送信されたＢＴ−ＲＳで黙示的にシグナリングされ得る。ビームパターン（各ＯＦＤＭシンボルでのビームＩＤ、または各ＯＦＤＭシンボルでのビームＩＤおよび対応する周波数サブバンド）は、標準で指定され得る、またはＳＩＢでシグナリングされ得る。複数のサブアレイによって生成された複数のビーム（例えば、Ｋ本のビーム）が同じＯＦＤＭシンボルでスイーピングされる場合、ビームパターン（各ＯＦＤＭシンボルにおけるＫ本のビームのＩＤ）は、標準で指定され得る、またはＳＩＢでシグナリングされ得る。しかしながら、ＵＥは依然としてＯＦＤＭシンボル内のＫ本の異なるビームから受信ビームＩＤを区別する必要がある。従って、これらのＫ本のビームに対する固有のＩＤ（Ｋ以上かつＮ以下）は、（明示的または黙示的に）送信されたＢＴ−ＲＳでシグナリングされるべきである。例えば、異なる（直交または非直交）シフトを有するＢＴ−ＲＳ系列は、ＯＦＤＭシンボル内のＫ本のビームによって使用され得る。
【０１５１】
またさらなる信号は複数のビームパターンである。これは、連続的または等距離の１ビットの指標である。これは標準で指定され得る、またはＳＩＢなどのＲＲＣシグナリングでシグナリングされ得る。
【０１５２】
［ＵＥビームフィードバックおよびＴｘビームスイーピング］
またさらなる実施形態では、ＮＲノードのＢＴ−ＲＳを受信すると、ＵＥは、ＮＲノードの最良のＴｘビームを判定する。ＵＥは、最良のビームのビームＩＤをＮＲノードに送り返す。ＵＥは、異なるビームフォーミング方向にスイーピングされたＵＥのビームフォーミングトレーニング制御チャネル／信号のバーストを送信することによって、Ｔｘビームスイービングを実行する。周期的ＢＦトレーニングプロセスにおいて、ビームフォーミングトレーニング制御チャネル／信号は、コンテンションベースのアップリンクチャネルまたは複数のＵＥによって共有される共通アップリンクチャネル上で送信することができる。柔軟なフレーム構造は、（ＤＬにおける）周期的ＮＲノードビームフォーミングトレーニング制御チャネル／信号送信、それに続くガード時間、およびＵＥがそれらのビームフォーミングトレーニング制御チャネル／信号を送信するためのＵＬ共通チャネルを含む。そのようなフレーム構造は、図２０の例に示すように、周期的ＢＦトレーニングのための自己完結型時間間隔Ｘであり得る。
【０１５３】
（図２０に示すように）ＵＥがそれらのビームフォーミングトレーニング制御チャネル／信号を送信するための複数のＵＬ共通チャネルのためのリソースは、時間領域、周波数領域、符号領域、および潜在的に空間領域における複数の個々のＵＬ共通チャネルから構成される。
【０１５４】
ＵＬ共通チャネルリソースを構成する１つの例は、ＮＲノードの各ビームＩＤに対して、１つの個別のＵＬ共通チャネルが黙示的に構成されることである。このビームＩＤを最良のビームＩＤとして見つけたＵＥは、このＵＬ共通チャネルリソースを使用して、そのＢＦトレーニングフィードバック（ＮＲノードの最良のビームＩＤ）およびそのＢＴ−ＲＳを送信することができる。ＵＥのビームフォーミングトレーニング制御チャネル／信号およびＵＥ  ＩＤを送信するための１つの方法は、短いブロック符号またはリード・ソロモン符号およびＣＲＣを用いて情報ビットを符号化することである。ＵＥ  ＩＤはＣＲＣ上で暗号化できる。そして、ビームフォーミングトレーニング制御チャネル／信号内の符号化された明示的な制御情報のための復調参照信号としてＵＥのＢＴ−ＲＳを使用する。ビームフォーミングトレーニング制御チャネル／信号およびＵＥ  ＩＤの送信はビームフォーミングされ、異なるＴｘビームを通してスイーピングされる。
【０１５５】
一実施形態では、ＵＥのビームフォーミングトレーニング制御チャネル／信号のための複数のＵＬ共通チャネルによって占有される周波数領域リソースは、ＮＲノードのＢＴ−ＲＳによって使用される周波数リソースと同じである場合もない場合もあり得る。
【０１５６】
チャネル全体における周期的ＢＦトレーニングのための自己完結型時間間隔Ｘなどの例を図２１に示す。周期的ＢＦトレーニングのための自己完結型時間間隔Ｘは、所定の周期で繰り返される。あるいは、ＮＲノードフィードバックおよびＡＣＫおよびＵＥのＡＣＫは、ＮＲノードおよびＵＥの両方のＴｘビームスイーピングが行われた（換言すれば、それらのＢＴ−ＲＳが送信された）時間間隔に続く後続の時間間隔で送信され得る。
【０１５７】
一部の半静的パラメータおよび周期的ＢＦトレーニングの構成（ＢＴ−ＲＳの構成、ＵＥビームフォーミングトレーニング制御チャネル／信号を送信するためのＵＬ共通チャネルリソースの構成を含む）は、ＳＩＢまたはＭＩＢなどのＲＲＣシグナリングを介してシグナリングされ得る。
【０１５８】
以下に周期的ビームフォーミングトレーニング−構成情報ＩＥと題する例を提示する。これは、主要なパラメータおよび構成設定を表す、ＩＥのｄｅｆａｕｌｔＢＦＴｒａｉｎｇＰｅｒｉｏｄ、ＢＦＴｒａｉｎｉｎｇＢＷ、ＢＦＴｒａｉｎｉｎｇＲｅｓｏｕｒｃｅｓＬｏｃａｔｉｏｎ、ＮＲ−ＮｏｄｅＢｅａｍＳｗｅｅｐｉｎｇＰａｔｔｅｒｎ、およびＵＬＣｏｍｍｏｎＣｈａｎｎｅｌＣｏｎｆｉｇを含むように定義されている。
【数６】
2019528620.tif 000013
【０１５９】
［オンデマンドＢＦトレーニング技法］
別の態様によるアクティブ状態におけるオンデマンドＢＦトレーニング技法を説明する。２つの異なる設計手法が考えられる。第１はＮＲノード主導のオンデマンドＢＦトレーニングであり、第２はＵＥ主導のオンデマンドＢＦトレーニングである。既にアクティブ（またはＲＲＣ＿Ｃｏｎｎｅｃｔｅｄ）状態にあるＵＥについては、これらのＵＥがビームフォーミングされた初期アクセスを既に経ていると仮定する。従って、ＵＥがＤＬにおいて適切なビームを少なくとも取得しており、アップリンク送信においては、最良のビームを発見していてもいなくてもよい。換言すれば、アクティブ状態にあるＵＥは、Ｔｘ−Ｒｘビームをまだペアにしていてもいなくてもよい。
【０１６０】
この場合、ＮＲノードは、アクティブ状態にある特定のＵＥと１対１ＢＦトレーニングを実行する。これは、自己完結型時間間隔Ｘ内で１対１ＢＦトレーニングに使用される柔軟なフレーム構造において行われ得る。ここで、ＤＣＩが最初に送信されて、この時間間隔が１対１の（または専用の）ＢＦトレーニングのためのものであることを示す。これに続いて、各（狭）ビームについて（開始側の）ビームフォーミングトレーニング制御チャネル／信号のＮＲノードの送信のバーストが続く。その後、ガード時間がある（ＤＬからＵＬへの切り替え）。その後、（応答側の）ビームフォーミングトレーニング制御チャネル／信号（ビームフォーミングフィードバックを含む）を送信するためにＵＥのためのＵＬ期間（１つ以上の専用ＵＬチャネルを含む）が続く。これにガード時間が続く（ＵＬからＤＬへの切り替え）。次は、ＮＲノードがそのＢＦトレーニングフィードバック＋（ＵＥから受信された先行するＢＦトレーニングフィードバックのための）ＡＣＫを送信するためのＤＬ期間である。その後は、ガード時間である（ＤＬからＵＬへの切り替え）。
【０１６１】
これに続いて、ＵＥが（ＮＲノードから受信された先行するＢＦトレーニングフィードバックのための）ＡＣＫを送信するための任意のＵＬ期間が続く。オンデマンド１対１ＢＦトレーニングおよびフィードバックのために使用される自己完結型時間間隔Ｘの一例を図２２に示す。あるいは、ＮＲノードフィードバックおよびＡＣＫならびにＵＥのＡＣＫは、ＮＲノードおよびＵＥの両方のＴｘビームスイーピングが行われた（換言すれば、それらのＢＴ−ＲＳが送信された）時間間隔に続く後続の時間間隔で送信され得る。
【０１６２】
時間間隔ｘが１対１の（または専用の）ＢＦトレーニング時間間隔であることをシグナリングするための指標を運ぶことに加えて、ＤＣＩは、以下の開示された情報を運ぶ：（ｉ）ＵＥ  ＩＤ（Ｃ−ＲＮＴＩまたはその均等物など）。これは黙示的または明示的にシグナリングでき、（ｉｉ）スイーピングするビームの数とそれらのビームのＩＤ、（ｉｉｉ）ＮＲノードのビームフォーミングトレーニング制御チャネル／信号および／またはＵＥのビームフォーミングトレーニング制御チャネル／信号のためのビームスイーピングパターン、ならびに（ｉｖ）（最良のＴｘビームのＩＤなどの）ＢＦフィードバックを含むビームフォーミングトレーニング制御チャネル／信号のＵＥの送信のための（時間、周波数、符号などに関する）ＵＬ専用リソース。スイーピングするビームの数とそれらのビームのＩＤ、（ｉｉｉ）上記で導入されたＮＲノードのビームフォーミングトレーニング制御チャネル／信号および／またはＵＥのビームフォーミングトレーニング制御チャネル／信号のためのビームスイーピングパターンが次に議論される。スイーピングするビームの数は、ＲＲＣシグナリングを介して明示的にシグナリングまたは構成され得る。そのため、このＤＣＩでは運ばれない。あるいは、標準では固定値として指定され得る。ビームＩＤはＤＣＩで明示的にシグナリングされる必要がある。ＮＲノードは、システム内のすべての利用可能なビームから狭／細ビームのサブセットを選択することができる。特別な場合は、サブセットがすべての利用可能なビームを含む場合である。
【０１６３】
例えば、例示的な実施形態では、ＵＥが初期アクセスフェーズで広角ビームを取得した場合、ＮＲノードは、広角ビームのビーム幅内の狭ビーム（および場合によってはいくつかの追加の隣接する狭ビーム）をサブセットとして選択することができる。ＵＥがある時間前にＴｘ−Ｒｘビームのペアを取得し（細／狭ビームフォーミングトレーニングを終了し）、ＮＲノードが再びビームフォーミングトレーニングを実行することを判断した場合、サブセットは、ある数の隣接する細／狭ビームを有する以前の細／狭ビームとして選択され得る。
【０１６４】
ここで以下、上で導入されたＮＲノードのビームフォーミングトレーニング制御チャネル／信号および／またはＵＥのビームフォーミングトレーニング制御チャネル／信号のためのビームスイーピングパターンをより詳細に説明する。各ＯＦＤＭシンボルにおいて、１つの細／狭ビームについてビームフォーミングトレーニング制御チャネル／信号が送信される。スイーピングするためのビームのサブセットをスイーピングするためにいくつかの（連続した）シンボルが使用される。あるいは、各ＯＦＤＭシンボルにおいて同時に複数のサブアレイを使用していくつかのビームが生成される。あるいは、いくつかのビームが各ＯＦＤＭシンボル内の異なるサブバンドでＦＤＭ方式で生成される。
【０１６５】
ここで、上で導入された（最良のＴｘビームのＩＤなどの）ＢＦフィードバックを含むＵＥのビームフォーミングトレーニング制御チャネル／信号の送信のための（時間、周波数、符号などに関する）ＵＬ専用リソースについて説明する。これは明示的または黙示的にシグナリングされ得る。例えば、周波数リソースはＤＣＩによって使用されるのと同じ周波数に等しい。ＯＦＤＭシンボルの数は、ＵＥ側からスイーピングするためのビームの数の所定の関数である。
【０１６６】
図２３に例示されるようなオンデマンドビームフォーミングトレーニング手順を以下に論じる。各ステップをアラビア数字で示す。ステップ１において、ＮＲノードが時間間隔ｘの先頭においてＤＣＩを送信して、この時間間隔が１対１の（または専用の）ＢＦトレーニングのためのものであることを示す。次に、ＮＲノードは、ＮＲノードがスイーピングすることを選択した各（狭）ビームについてそのビームフォーミングトレーニング制御チャネル／信号を送信する（ステップ２）。その後、ＵＥは、ＮＲノードのビームフォーミングトレーニング制御チャネル／信号および対応するビームＩＤを受信し、このＵＥについてＮＲノードの最良／最適のＴｘビームを決定する（ステップ３）。
【０１６７】
ステップ４によれば、ＵＥは、（最良のビームのビームＩＤを含む）ＢＦトレーニングフィードバックを含むそのビームフォーミングトレーニング制御チャネル／信号を、異なるビームフォーミング方向を通じてスイーピングするＮＲノードに送信する。ビームフォーミングトレーニング制御チャネル／信号は、非コンテンションベースで専用ＵＬチャネル上で送信される。次いで、ＮＲノードは、ＵＥのビームフォーミングトレーニング制御チャネル／信号を受信し、このＮＲノードについてＵＥの最良のＴｘビームを判定する（ステップ５）。その後、ＮＲノードは（最良のビームのビームＩＤを含む）ＢＦトレーニングフィードバックをＵＥに送信する（ステップ６）。
【０１６８】
ステップ６において、ＮＲノードは、ステップ４でＵＥによって送信されたビームフォーミングフィードバックに対する確認応答（ＡＣＫ）を送信することができる。ＡＣＫは、黙示的または明示的にシグナリングされ得る。ステップ４においてフィードバックのために黙示的ＡＣＫを送信する１つの方法は、ステップ４においてビームＩＤがＵＥによって送信されるビームを使用して、ＮＲノードがそのＢＦトレーニングフィードバックをＵＥに送信することである。
【０１６９】
その後、ＵＥは、自身のステップ４のためにＮＲノードのＢＦトレーニングフィードバックおよびＡＣＫを受信する（ステップ７）。さらに、ＵＥは、ＮＲノードのＢＦトレーニングフィードバックを正常に受信したことを確認応答するためにＡＣＫを送信する（ステップ８）。ＡＣＫは明示的にシグナリングされ得る。あるいは、ステップ６においてビームＩＤがＮＲノードによって送信されるビームを使用して、ＵＥがデータパケットを送信し始める場合、黙示的ＡＣＫが黙示的に提示される。
【０１７０】
別の実施形態によれば、ＮＲノードは、アクティブ状態にある複数のＵＥと１対多ＢＦトレーニングを実行する。ＮＲノードとＲＲＣ接続を有するＵＥは異なるグループに構成され、各グループはＧＢＴを超えないＵＥを有する。そして、各グループにおいて、各ＵＥは独自の固有の位置を有し、それはグループが構成されたときにＵＥにシグナリングされる。
【０１７１】
またさらなる実施形態では、柔軟なフレーム構造が１対１ＢＦトレーニングに使用される。自己完結型時間間隔Ｘ内で、ＤＣＩが最初に送信されて、この時間間隔が１対多ＢＦトレーニングのためのものであることを示す。これに続いて、各（狭）ビームについて開始側のビームフォーミングトレーニング制御チャネル／信号のＮＲノードの送信のバーストが続く。これにガード時間が続く（ＤＬからＵＬへの切り替え）。その後、独自の（応答側の）ビームフォーミングトレーニング制御チャネル／信号を送信するためにＵＥのためのＵＬ期間（いくつかのＵＬチャネルを含む）が続く。これにガード時間がさらに続く（ＵＬからＤＬへの切り替え）。これにさらに続いて、ＮＲノードがそのＢＦトレーニングフィードバック＋（ＵＥから受信された先行するＢＦトレーニングフィードバックのための）ＡＣＫを各ＵＥに送信するためのＤＬ期間が続く。これにさらに続いて、ガード時間が続く（ＤＬからＵＬへの切り替え）。これにまたさらに続いて、ＵＥが（ＮＲノードから受信された先行するＢＦトレーニングフィードバックのための）自身のＡＣＫを送信するためのＵＬ期間が続く。
【０１７２】
オンデマンド１対多ＢＦトレーニングおよびフィードバックのために使用される例示的な自己完結型時間間隔Ｘを図２４に示す。この時間間隔ｘが１対１の（または専用の）ＢＦトレーニング時間間隔であることをシグナリングするための指標を運ぶことに加えて、ＤＣＩは、以下を含む情報を運ぶ。
【０１７３】
（ｉ）ＮＲノードは、１つ以上の事前に構成されたＵＥのグループを用いてＢＦトレーニングを実行し得る。グループＩＤ（複数可）をシグナリングする必要がある。以下の説明は１つのグループの場合についてであるが、複数のグループの場合に拡張することができる。これは黙示的または明示的にシグナリングされ得る。
【０１７４】
（ｉｉ）スイーピングするビームの数およびそれらのビームのＩＤ。スイーピングするビームの数は、明示的にシグナリングすることも、ＲＲＣシグナリングを介して構成することもできる（従ってこのＤＣＩでは伝送されない）、または標準において固定値に指定することもできる。ビームＩＤはＤＣＩで明示的にシグナリングされる必要がある。ここで、ＮＲノードは、ＤＣＩでシグナリングされたグループ内のすべてのＵＥについて、システム内のすべての利用可能なビームから狭／細ビームのサブセットを選択することができる。特別なケースは、サブセットがすべての利用可能なビームを含む場合である。グループ形成基準およびグループ内のＵＥの空間的位置／方向に応じて、ＮＲノードはスイーピングするビームの異なるサブセットを選択できる。
【０１７５】
（ｉｉｉ）ＮＲノードのＢＴ−ＲＳおよび／またはＵＥのＢＴ−ＲＳのためのＢＴ−ＲＳ送信パターン。各ＯＦＤＭシンボルにおいて、１つの細／狭ビームについてＢＴ−ＲＳが送信される。スイーピングするためのビームのサブセットをスイーピングするためにいくつかの（連続した）シンボルが使用される。あるいは、各ＯＦＤＭシンボルにおいて同時に複数のサブアレイを使用していくつかのビームが生成される。あるいは、いくつかのビームが各ＯＦＤＭシンボル内の異なるサブバンドでＦＤＭ方式で生成される。
【０１７６】
（ｉｖ）（最良のＴｘビームのＩＤなどの）それらのビームフォーミングトレーニング制御チャネル／信号の送信のための、グループ内の各ＵＥのための（時間、周波数位置、符号などに関する）ＵＬリソース。これは黙示的にシグナリングされることが好ましい。例えば、周波数リソースはＤＣＩによって使用されるのと同じ周波数に等しく、ＯＦＤＭシンボルの数は、ＤＣＩによってシグナリングされたグループ内のＵＥの数およびＵＥ側からスイーピングするためのビームの数の所定の関数である。グループ内の各ＵＥは、そのビームフォーミングトレーニング制御チャネル／信号を送信するためにＵＥ固有のリソース／チャネルを使用することができる。ＢＦトレーニングを実行するグループ内の各ＵＥの位置とＵＥ固有のリソース／チャネル（時間、周波数位置、符号系列などに関する）との間には１対１の対応関係がある。あるいは、リソース位置は明示的にシグナリングされ得る。
【０１７７】
（ｖ）グループ内の各ＵＥへの（最良の送信ビームのＩＤなどの）ＮＲノードＢＦトレーニングフィードバック＋ＡＣＫの（時間、周波数位置、符号などに関する）ＤＬリソースの位置。これは黙示的にシグナリングされることが好ましい。例えば、特定のＵＥにＢＦトレーニングフィードバックおよびＡＣＫを送信するためにＮＲノードによって使用されるリソースのインデックスは、以前のステップにおいてＵＥのそのＢＦトレーニングフィードバックおよびＢＴ−ＲＳの送信によって使用されるリソースのインデックスにマッピングされる。あるいは、リソース位置は明示的にシグナリングされ得る。
【０１７８】
（ｖｉ）以前のステップで受信したＮＲノードＢＦトレーニングフィードバックへのそのＡＣＫのＵＥの送信のＵＬリソース（時間、周波数位置、符号などに関する）。これは黙示的にシグナリングされることが好ましい。例えば、ＡＣＫを送信するためにＵＥによって使用されるリソースのインデックスは、以前のステップにおいてＮＲノードのそのＢＦトレーニングフィードバックの送信によって使用されるリソースのインデックスにマッピングされる。
【０１７９】
またさらなる実施形態によれば、オンデマンド１対多ビームフォーミングトレーニング手順を図２５に示す。ステップのそれぞれをアラビア数字で示す。ステップ１において、ＮＲノードが時間間隔ｘの先頭においてＤＣＩを送信して、この時間間隔が１対多ＢＦトレーニングのためのものであることを示す。ステップ２において、ＮＲノードは、ＮＲノードがスイーピングすることを選択した各（狭）ビームについてその開始側のビームフォーミングトレーニング制御チャネル／信号を送信する。その後、各ＵＥは、ＮＲノードのビームフォーミングトレーニング制御チャネル／信号および対応するビームＩＤを受信し、自らに対するＮＲノードの最良Ｔｘビームを決定する（ステップ３）。
【０１８０】
ステップ４において、ＵＥは、応答側のビームフォーミングトレーニング制御チャネル／信号をＮＲノードに送信する。各ＵＥのビームフォーミングトレーニング制御チャネル／信号は、非コンテンションベースでＵＬ（専用）チャネル上で送信される。次に、ＮＲノードは、ＵＥのビームフォーミングトレーニング制御チャネル／信号を受信し、このＮＲノードについてＵＥの最良のＴｘビームを判定する（ステップ５）。
【０１８１】
ステップ６において、ＮＲノードは、（最良のビームのビームＩＤを含む）ＢＦトレーニングフィードバックをＵＥに送信する。ＮＲノードは、ステップ４でＵＥによって送信されたビームフォーミングフィードバックに対する確認応答（ＡＣＫ）を送信することができる。ＡＣＫは、黙示的または明示的にシグナリングされ得る。ステップ４においてフィードバックのために黙示的ＡＣＫを送信する１つの方法は、ステップ４においてビームＩＤがＵＥによって送信されるビームを使用して、ＮＲノードがそのＢＦトレーニングフィードバックをＵＥに送信することである。
【０１８２】
その後、ＵＥは、自身のステップ４のためにＮＲノードのＢＦトレーニングフィードバックおよびＡＣＫを受信する（ステップ７）。さらに、ＵＥは、ＮＲノードのＢＦトレーニングフィードバックを正常に受信したことを確認応答するためにＡＣＫを送信する（ステップ８）。ＡＣＫは明示的にシグナリングされ得る。あるいは、ステップ６においてビームＩＤがＮＲノードによって送信されるビームを使用して、ＵＥがデータパケットを送信し始める場合、黙示的ＡＣＫが黙示的に提示される。
【０１８３】
さらに別の実施形態では、ＮＲノードは、このＮＲノードにおいてアクティブ状態にあるすべてのＵＥがＢＦトレーニングを実行できるようにする、１対全のＢＦトレーニングを実行する。方法および手順は、これが１対全ＢＦトレーニング時間間隔であることを示すための時間間隔ｘの先頭にあるフォーマット指標を除いて、上記のような周期的ＢＦトレーニングのための解決策と同じであり得る。１つの方法は、このフォーマット指標を全方向に送信することであり、これは、経路損失を補償するのに十分な符号化利得および拡散利得を有するように、送信を時間および周波数において強く符号化および／または拡散することを必要とする。あるいは、このフォーマット指標は、Ｔｘビームフォーミングを使用して送信され得る。
【０１８４】
［ＵＥが開始したＢＦトレーニング］
本出願のさらに別の実施形態によれば、一式のビームフォーミングトレーニングトリガ基準が説明される。これは、例えば、ビームフォーミング更新周期とＳＩＮＲ閾値とを含み得る。
【０１８５】
トリガイベントが発生すると、ＵＥは（ＲＡＣＨに似た方法で）ＢＦトレーニング要求をＮＲノードに送信する。ＢＦトレーニング要求メッセージは、Ｌ１／Ｌ２シグナリングまたは上位層シグナリングであり得る。要求を受信すると、ＮＲノードは、そのＴｘビームスイーピングを開始することによって特定の時間内に応答することを選択することができる。ＮＲノードは、１対１または１対多ＢＦトレーニング方法を使用することを選択することができる。詳細な方法および手順は上記と同じである。
【０１８６】
さらなる実施形態では、ＣＳＩ−ＲＳがＮＲダウンリンクについてサポートされることが合意されている。ＣＳＩ−ＲＳの主な機能は、ＣＳＩ取得とビーム管理とを含む。ＮＲアップリンクについて少なくとも以下のＲＳ、すなわち、（ｉ）ＣＳＩ取得およびビーム管理の主な機能を有する参照信号であるＳＲＳと、（ｉｉ）ＲＲＭ測定を行うＦＦＳと、がサポートされることが合意されている。
【０１８７】
３ＧＰＰ会議では、ＮＲに対する「ＲＡＮ制御状態」（非アクティブ状態とも呼ばれる）の概念が議論されてきた。ＲＡＮ制御状態にあるＵＥは、受けるシグナリングを最小限にし、電力消費を最小限にし、ＲＡＮ／ＣＮにおけるリソースコストを最小限にし、それによって、この状態を利用する（そしてそれから恩恵を受ける）ＵＥの数を最大にすることを可能にするはずである。さらに、ＲＡＮ制御状態にあるＵＥは、ＲＡＮ要件によって要求されるように低遅延でデータ転送を開始することができるはずである。
【０１８８】
以下で論じる態様によれば、機能は、ＮＲノード、送信／受信ポイント（ＴＲＰ）、またはリモート無線装置（ＲＲＨ）によって実行または受信され得ることが理解されよう。従って、単純化のためにＮＲノードが至る所で論じられていることに関して、ＮＲノード、ＴＲＰ、およびＲＲＨは、本出願では制限なしに交換可能に使用され得る。
【０１８９】
以下の実施形態によれば、ＤＬおよび／またはＵＬ送信を含む時間間隔は、異なるヌメロロジおよびＲＡＮスライスに対して柔軟であることも想定される。これらはまた、静的または半静的に構成され得る。このような時間間隔構造は、サブフレーム内のスロットまたはミニスロットに使用され得る。この時間間隔構造に対して提案されたメカニズムはスロットおよび／またはミニスロットに適用可能であり得ることが理解されよう。
【０１９０】
上記のように、ＳＩに関連して、当技術分野では、（ｉ）すべての「セル」／ＴＲＰが最小限のＳＩを周期的に報知するか否か、（ｉｉ）ＵＥがキャンプオンすることができるすべてのセルにおいて最小限のＳＩが周期的に報知されるか否か、（ｉｉｉ）システムにおいてＵＥがキャンプオンできないセルがあるか否か、（ｉｖ）最小限のＳＩを報知しないセルにＵＥがキャンプオンすることを許可されるべきか否か、が対処されていない。これらの欠点を考慮して、「サービングセル」という用語は、以下のうちの１つ、すなわち、（ｉ）ＵＥがキャンプオンしているセル、（ｉｉ）ＲＲＣ  ＩＮＡＣＴＩＶＥ  ＣＯＮＮＥＣＴＥＤ状態のＵＥにサービスを提供しているセル、または（ｉｉｉ）ＲＲＣ  ＣＯＮＮＥＣＴＥＤ状態のＵＥにサービスを提供しているセル、を示すために本出願において使用される。
【０１９１】
本出願によれば、システム情報の配信は将来の保証および新しいサービスおよび機能の円滑な導入を保証するために柔軟であるべきであると想定されている。ビームフォーミングでは、システム情報送信オーバーヘッド（時間／周波数リソース）はビームフォーミングなしの送信のオーバーヘッドのＮ倍である。最小限のＳＩのみが周期的に報知される場合でさえも、ＳＩ送信のオーバーヘッドは、常に報知するために依然として重要であり得る。さらに、考慮すべき重要なＫＰＩであるシステムアクセス遅延を含むコントロールプレーン遅延は、多くのターゲットユースケースで現在のセルラシステムよりもはるかに厳しくなる。
【０１９２】
本明細書ではまた、ＮＲによって対象とされる多くの分野にわたる様々な配備シナリオに規模を拡大し、適応するのに十分に柔軟な解決策が考慮されるべきであることも想定される。ＳＩはセル間で共通であるため、ＵＥは、複数のセルにわたって移動することから、これらの共通のＳＩを再取得することを要求されない場合もある。同様に、ネットワーク（セル／ＴＲＰ）は、局所的な地理的エリア内での冗長なＳＩ送信を回避するための柔軟性を有するべきであり、最小限のＳＩを周期的に報知することを要求されるべきではない。初期セル選択またはセル再選択のためのモビリティの際に、ＵＥは、事前構成を通じて以前に記憶された、または以前に訪問したセルから取得された最小限のシステム情報の有効性を判定する。記憶された最小限のシステム情報が有効であるとＵＥが判定した場合、ＵＥは新しく検出されたセルを評価するために以前に記憶された最小限のシステム情報を再利用することができる。それは、ＵＥがセルにアクセスすることを許可されているか否かを判定することができる。ここで、すべての「セル／ＴＲＰ」は、最小限のＳＩを周期的に報知することを要求されない。ＮＲシステムは、一部の他のセルに代わってシステム情報を提供するセルを含み得る。
【０１９３】
セル報知システム情報、例えば（複数の最小限のＳＩ構成セットであり得る）最小限のＳＩまたは（複数の他のＳＩ構成セットであり得る）他のＳＩもまた、報知されたＳＩの適用可能性に関する追加の情報を報知し得る。そのような情報は、以下のうちの１つ以上を含み得る。
【０１９４】
（ｉ）セル、もしくはＴＲＰ、または複数のセルから構成される地理的エリア、例えばＳＩＢ有効エリアまたはＳＩＢ有効ゾーンの識別情報。ＵＥは、例えば最小限のＳＩのための受信ＳＩが適用されるセルを識別するために受信した識別情報を使用することができる。さらに、ＵＥは、セル識別情報またはＴＲＰ識別情報ではないかもしれない、受信した識別情報を使用してもよい。そのような場合、ＵＥは、受信したＳＩ（最小限のＳＩまたは他のＳＩ）が適用されるセルの識別情報を導出または検索するために受信した識別情報を使用することができる。
【０１９５】
（ｉｉ）報知されたＳＩが適用される周波数／周波数帯。例えば、ＵＥは、この情報を使用して、受信／記憶されたシステム情報が所与の周波数層で検出されたセルに適用されるか否かを判定することができる。セルはまた、システム情報が適用される周波数層から特定のセルを除外する周波数／帯域情報と共に指標を提供することができる。そのような指標は、例えば、セルの物理セル識別情報（ＰＣＩ）であり得る。
【０１９６】
（ｉｉｉ）システム情報の有効時間／期間。このパラメータを用いて、セル報知システム情報（例えば、最小限のＳＩ）は、システム情報の有効期間および／またはシステム情報が適用される日の期間を示すことができる。さらに、セルは、システム情報が適用されるセル、ＴＲＰ、または周波数の粒度レベルで時間／期間情報を提供することができる。あるいは、セルは、有効時間／期間情報をグローバルに、すなわちシステム情報が適用されるすべてのセルおよび／または周波数／帯域に適用可能に提供することができる。
【０１９７】
モビリティ測定の態様によれば、アイドルモードでは、ＵＥは、ＮＲ−ＰＳＳおよびＮＲ−ＳＳＳなどのＤＬ初期アクセスを監視することができる。ＤＬ初期アクセスバーストは、周波数帯域（範囲）および／またはヌメロロジに応じて異なる送信時間長Ｔを有することができる。加えて、バーストごとのブロックの数も周波数帯域および／またはヌメロロジに依存する。例えば、ＮＲシステムが６ＧＨｚ未満である場合、バーストは単一ブロックのみを含むことができ、初期アクセスバーストは特定のヌメロロジで配置され得る。初期アクセスバーストの送信のＴ＝１０ｍｓである。別の例では、ＮＲは３０〜４０ＧＨｚで動作し、バーストは１６個のブロックを含み得る。この場合、初期アクセスバーストの送信のＴ＝５ｍｓである。ＢＴＲＳは、アイドルモード（使用可能な場合）または接続モードのいずれかでモビリティをサポートできる。ＢＴＲＳ送信時間長は、初期アクセスバーストと同じまたは異なるように設定することができる。
【０１９８】
アイドルモードにおけるページング信号設計に関する一実施形態では、ページングビームスイーピングブロックは、アイドルモード中のページングチャネルに対するビームスイーピング時間単位の単位として扱うことができる。各ページングブロックは、少なくとも１つ以上のＣＰ−ＯＦＤＭシンボルから構成され得る。複数のブロックはページングビームスイーピングバーストを形成し得る。ここで、スイーピングバーストの長さは、バースト内のページングビームスイーピングブロックの数を指す。例えば、ページングビームスイーピングバースト長がＭに等しい場合、バースト内にＭ個のスイーピングブロックがある。
【０１９９】
ページングスイーピングバーストおよびブロックの一例を図８に示す。ページングビームスイーピングバーストは、周期時間Ｔで周期的に送信されてもよい。この周期Ｔは、ＵＲＬＬＣ、ｍＭＴＣ、またはｅＭＢＢサービスなどの異なるアプリケーションによって、または異なる周波数帯域（または周波数範囲）およびヌメロロジによって変化し得る。各ページングビームスイーピングブロックは、単一ビームまたは複数ビームに関連付けられ得る。アイドルモードにあるＵＥは、ページング信号を監視するためにページングビームスイーピングバーストを監視することができる。ページングチャネルは、ＳＦＢＣなどの送信ダイバーシチをサポートし得る。送信ダイバーシチのためのページングチャネルのための復調参照信号は、ＱＣＬと仮定することができる。
【０２００】
別の態様は、ＣＳＩ取得およびビーム管理のためのＲＳ構成に関する。ＣＳＩ−ＲＳまたはＳＲＳが少なくともＤＬまたはＵＬ  ＣＳＩ取得およびビーム管理のために完全に構成可能である場合、ＵＥはＣＳＩ−ＲＳおよびＳＲＳ構成を把握している必要があり得る。これにより、これがＣＳＩ取得またはビーム管理機能のためにＣＳＩ−ＲＳおよびＳＲＳを効率的に使用できることが確保される。本明細書では、ＮＲシステムにおけるシグナリング、すなわち指標に関連するＣＳＩ−ＲＳおよびＳＲＳアーキテクチャを設計するための技法を説明する。本明細書で提案された技法は、ＤＬのためのＣＳＩ−ＲＳならびにＵＬのためのＳＲＳに適用可能であり得る。
【０２０１】
ＮＲシステムでは、ＣＳＩ−ＲＳおよびＳＲＳ構成に寄与する多くの因子がある。例えば一部の因子印紙として、以下が挙げられる。
【０２０２】
（ｉ）機能：ＣＳＩ−ＲＳおよびＳＲＳは、限定ではなく例として、以下のような異なる機能のために構成され得る：（ａ）参照信号受信電力（ＲＳＲＰ）測定などの測定による、ビーム管理、例えば、ビーム検出および選択、ビームペアリング、ビームアライメント、ビーム切り替えなど、（ｂ）アナログおよび／もしくはデジタルビームを判定するためのビームベースのＣＳＩ測定、デジタルビームのためのプリコーダを判定するためのポートベースのＣＳＩ測定、ならびに／または選択されたアナログおよび／もしくはデジタルビーム上でのデータ伝送のためのチャネル品質指標（ＣＱＩ）測定などの、ＣＳＩ取得、および／または（ｃ）無線リンクアダプテーション、モビリティ管理、およびＲＡＮまたはコアネットワークにおける他の機能のための、ＲＳＲＰ、参照信号受信品質（ＲＳＲＱ）、キャリア受信信号強度指標（ＲＳＳＩ）および／またはＣＱＩなどの、ＲＲＭ測定。
【０２０３】
（ｉｉ）範囲：ＣＳＩ−ＲＳおよびＳＲＳは、例えば、以下のように、異なる用途のために異なる範囲に対して構成され得る：（ｉ）すべてのＵＥに固有のセル、ＴＲＰ、またはビーム、および（ｉｉ）ＵＥまたはＵＥのグループに固有のＵＥ。
【０２０４】
（ｉｉｉ）割り当て：ＣＳＩ−ＲＳおよびＳＲＳは、異なる機能および用途のために周波数および時間において様々に割り当てられ得る。周波数において、ＣＳＩ−ＲＳおよびＳＲＳは、フルバンド／サブバンドにわたって構成され得る。あるいは、ＣＳＩ−ＲＳおよびＳＲＳは、部分的にバンド／サブバンドに構成され得る。ＣＳＩ−ＲＳおよびＳＲＳはまた、バンド／サブバンドの中心に構成され得る。あるいは、ＣＳＩ−ＲＳおよびＳＲＳは、部分的な帯域シナリオのためにバンド／サブバンド内の位置で事前構成またはシグナリングされ得る。
【０２０５】
時間におけるＣＳＩ−ＲＳおよびＳＲＳ割り当ては、周期的、半永続的、または非周期的（例えば、トリガされた）送信で構成され得る。ＣＳＩ−ＲＳおよびＳＲＳはまた、ＲＡＮ主導またはＵＥ要求のいずれかとして構成され得る。これは、ＣＳＩ−ＲＳ送信のための黙示的または明示的シグナリングを含むようにさらに構成され得る。
【０２０６】
（ｉｖ）構造：ＣＳＩ−ＲＳおよびＳＲＳは、異なる構造、すなわち、パターン、ならびに異なる機能、シナリオ、ヌメロロジなどについて周波数および時間において異なる粒度で構成され得る。例示的な図としての図２７に示すように、ＣＳＩ−ＲＳがビーム管理のために構成されている場合、バンド１／サブバンド１を中心とする周期的送信で構成され得る。あるいは、バンド２／サブバンド２で示す、異なる構成を有する非周期的送信で構成され得る。後者の場合、ＣＳＩ−ＲＳは、バンド１／サブバンド１におけるようにｋ１個のサブキャリアにわたって、またはバンド２／サブバンド２におけるようにｋ２／ｋ２’個のサブキャリアにわたって、それぞれ連続的または不連続的に（例えば、ＤＣＩおよび／またはＵＣＩなどの他の制御要素、あるいはデータとインターリーブされて）分配され得る。一部の例では、ＣＳＩ−ＲＳ領域は、図９に示すようにバンド／サブバンドの中心に配置されてもよく、また、ＵＥに対して事前構成、報知、または動的にシグナリングされる特定の周波数位置に、例えば図２７で「ｋ２  ｏｆｆｓｅｔ」または「ｋ２’  ｏｆｆｓｅｔ」として示されている周波数オフセットを使用して、配置されてもよい。
【０２０７】
例示的な図として図２８に示すように、ＣＳＩ−ＲＳがＣＳＩ取得のために構成される場合、異なる構成を有する周期的または非周期的送信で構成され得る。ＣＳＩ−ＲＳは、例えば、図２８のパターン１、２、または３に示すように分散させることができる。本実施形態によれば、ＣＳＩ  ＲＳパターンは以下に基づいて構成され得る。
【０２０８】
（ｉ）ヌメロロジ、例えば、図２８に示すようなサブキャリアおよび／またはシンボルおよび／または異なるパターンの数。
【０２０９】
（ｉｉ）サービス、例えば、ＵＲＬＬＣまたはｅＭＢＢのための異なるパターン。
【０２１０】
（ｉｉｉ）モビリティ、例えば、周波数および／または時間における異なる粒度。
【０２１１】
（ｉｖ）例えば干渉管理ならびに／または協調送信および／もしくは受信のための、セル／ＴＲＰ  ／ビーム間の協調。
【０２１２】
図２８では、ＣＳＩ−ＲＳ構成のための動的シグナリングがＤＬ制御チャネルＤＣＩ（複数可）を介して示されている。ＤＣＩ（複数可）は、周期的に、半永続的に、または非周期的に、例えばＮＲノード／ＴＲＰ／ビームによって開始される、またはＵＥによって要求される、ＣＳＩ−ＲＳおよび／またはＳＲＳ構成を示すことができる。ＣＳＩ−ＲＳおよびＳＲＳ構成マッピングの例を以下の表３に列挙し、ここで、構成は、個々のパラメータまたはパラメータのグループ、あるいはサポートされるパラメータ値のすべての組み合わせのインデックス番号によって指定される。
【表３】
2019528620.tif 000014
【０２１３】
上記のように、ＣＳＩ−ＲＳおよびＳＲＳ構成は、ＵＥに指示される必要があり得る。そうすることによって、ＵＥはビームフォーミングまたはＣＳＩ取得のいずれかを実行することができる。上記の表３のＣＳＩ−ＲＳおよびＳＲＳ構成パラメータは、以下の例示的な方法でＵＥに示され得る。
【０２１４】
（ｉ）例えば、デバイス製造業者、サービスプロバイダ、システム管理者、および／またはユーザによって、ＵＥ上で事前構成される。
【０２１５】
（ｉｉ）例えばシステム情報（ＳＩ）メッセージを介して１つ以上のＵＥに報知される。
【０２１６】
（ｉｉｉ）例えばＲＲＣメッセージまたはＭＡＣ  ＣＥで、上位層によって１つ以上のＵＥにシグナリングされる、および／または
【０２１７】
（ｉｖ）ＤＬ制御チャネル、例えばＤＣＩによってシグナリングされる。
【０２１８】
ＣＳＩ−ＲＳおよびＳＲＳ構成、すなわちＣＳＩ−ＲＳ送信モード＝０およびＳＲＳ送信モード＝０が、ビーム管理のためにＵＥにどのように静的／半静的／動的に指示またはシグナリングされるかを示す例示的なコールフローを図２９に示す。図２９に示す例によれば、ステップ１および２は、非ＵＥ固有ＣＳＩ−ＲＳおよびＳＲＳ構成、すなわちＵＥ固有＝０がＵＥ（すなわち、ＵＥ１およびＵＥ２）に報知され、ＵＥ１は、ビームトレーニングのためのＣＳＩ−ＲＳおよびＳＲＳ構成に基づいてＮＲノード／ＴＲＰ／ビームを用いたＤＬビーム選択手順を実行することを示している。
【０２１９】
ステップ３から７は、ＵＥ２とＮＲノード／ＴＲＰ／ビームとの間のＤＬまたはＵＬビームペアリングのためにＵＥ２にユニキャストされる、ＵＥ固有ＣＳＩ−ＲＳまたはＳＲＳ構成、すなわちＵＥ固有＝１を記載している。ＵＥが要求したＵＥ固有ＣＳＩ−ＲＳ構成指示は、ステップ４Ａから６Ａに示されている。一方、ＮＲノード／ＴＲＰ／ビーム主導のＵＥ固有ＳＲＳ構成指示は、ステップ４Ｂから６Ｂに示されている。ＵＥ固有ＣＳＩ−ＲＳおよびＳＲＳ構成パラメータは、本明細書で例示したように、ＲＲＣメッセージもしくはＭＡＣ  ＣＥ、またはＤＬ制御チャネルＤＣＩ（複数可）を介してシグナリングされ得る。ステップ０に示すように、ＵＥ固有ＣＳＩ−ＲＳおよびＳＲＳ構成はまた、事前構成することができる。それらはまた、ステップ１または３に示されるように静的に構成され、ＵＥ（複数可）に報知されてもよい。
【０２２０】
図３０に示す例示的なコールフローは、ＣＳＩ−ＲＳおよびＳＲＳ構成、すなわちＣＳＩ−ＲＳ送信モード＝１およびＳＲＳ送信モード＝１が、ビーム管理のためにＵＥ（複数可）にどのように静的／半静的／動的に指示またはシグナリングされ得るかを示している。図３０のステップ１から６は、非ＵＥ固有ＣＳＩ−ＲＳおよびＳＲＳ構成を示している。ここで、ＵＥ固有＝０は、上記の表３で提示されている。ＵＥ１は、ＣＳＩ取得のために静的または半静的に示されたＣＳＩ−ＲＳ構成に基づいてＤＬ  ＣＳＩ測定手順を実行する。ＮＲノード／ＴＲＰ／ビームは、ＵＥ１から送信されたＵＬ  ＳＲＳに基づいてＵＬ  ＣＳＩ測定手順を実行する。ＳＲＳは、ＳＲＳが単独でまたは他のＵＬ制御またはデータと共に送信され得るという一般性を失うことなく、ＣＳＩ報告と共に送信される。
【０２２１】
図示の例によれば、図３０のステップ８から１２は、ＵＥ２とＮＲノード／ＴＲＰ／ビームとの間のＤＬおよびＵＬ  ＣＳＩ取得のためのＵＥ固有ＣＳＩ−ＲＳおよびＳＲＳ構成を示している。ここで、上記の表３で提示されているようにＵＥ固有＝１である。ＵＥが要求したＵＥ固有ＣＳＩ−ＲＳ構成指示は図３０のステップ８Ａから１２Ａに示され、ＮＲノード／ＴＲＰ／ビーム制御されたＵＥ固有ＳＲＳ構成指示はステップ８Ｂから１２Ｂに示されている。表３のＵＥ固有ＣＳＩ−ＲＳおよびＳＲＳ構成パラメータは、ＲＲＣメッセージもしくはＭＡＣ  ＣＥを介して、または代替的にＤＬ制御チャネルＤＣＩ（複数可）を介してシグナリングされ得る。ＵＥ固有ＣＳＩ−ＲＳおよびＳＲＳ構成は、ステップ０に示すように事前構成されてもよく、ステップ１またはステップ３に示すように静的に構成され、ＵＥに報知されてもよいことが示されている。
【０２２２】
ＵＬベースのモビリティについて、ネットワークは、構成されたエリア／ゾーン内のＵＬリソースを用いてＵＥを構成し得る。これは、ＵＥが通常のＵＬ追跡信号送信を実行する場合に行われ得る。ＵＬ追跡信号は、周期性が構成可能である場合、周期的に送信することができる。
【０２２３】
またさらに別の実施形態では、ＵＬ追跡信号はオンデマンドで送信されてもよい。送信は、ネットワークによる要求に従ってもよいし、イベントトリガされてもよい。ＵＬ追跡信号は、ＵＥの位置、例えばセル／ＴＲＰ／ビームレベルを判定するためにネットワークによって使用される。その後、ネットワークは、判定されたＵＥ位置を使用して、ＵＬ追跡信号を以前に受信した識別されたエリア、例えばセル／ＴＲＰ／ビーム内でのみ所与のＵＥに対するページングメッセージを送信する。ページングメッセージは、ＵＥのＤＲＸ／ｅＤＲＸ機会に送信することができる。あるいは、短いネットワーク確認応答／フィードバックと共にＵＬ追跡信号送信の後に直接送信することができる。
【０２２４】
新しい状態にあるＮＲ  ＵＥは、ネットワークによって詳細に追跡され得る。これは、１つ以上のＴＲＰうちのどれがＵＥと通信するための最も適切な選択であるかをネットワークが確実に把握するためである。このようにして詳細に追跡することには様々な利点がある。例えば、ネットワークが将来のページングメッセージを送信するために最も適したＴＲＰを判定することを可能にする。さらに、適切なＴＲＰは、最良のＴＸビームを介して将来のＤＬデータを送信するようにビームの微調整／追跡を実行することができる。これは、高い信号対雑音比（ＳＮＲ）およびＤＬデータ転送の低遅延にもつながる。別の利点としては、サービングＴＲＰがＵＬタイムアライメントを維持することが挙げられる。ＩＮＡＣＴＩＶＥ  ＵＥの場合、その状態内で短いＵＬデータパケットを転送する。
【０２２５】
ＵＬ信号設計に関して、ＵＬ追跡信号リソースは、ＵＥごとに一意に割り当てられ得る、または構成されたエリア／ゾーン内のＵＥのグループによって共有され得る。固有無線リソース、例えば時間、周波数、ビーム、直交符号の場合、ＵＥは、識別子を明示的に送信する代わりに、ネットワークによって黙示的に識別され得る。いかなる上位層データも運ばない狭帯域信号、例えばシグネチャ系列を運ぶ参照信号の場合、送信は極めて強力かつ効率的であり得る。各ＵＥに対して固有無線リソースの割り当てるこの方法は、ＵＬデータ送信のためのリソースが制限されているため、多数のＵＥがこの状態にあるときにはうまくスケーリングできない場合があることを理解されたい。
【０２２６】
さらなる実施形態によれば、ＵＥのグループによって共有されるＵＬ追跡信号リソースは、リソース不足問題を軽減し得る。しかしながら、ネットワークはＵＥの正確な位置情報を有していない場合があるため、ネットワークが異なるセル／ＴＲＰに複数の通知メッセージを送信しなければならない結果となり得る。この問題を解決するために、ＵＥは、構成されたエリア／ゾーン内で一意のＵＥ固有追跡ＩＤを含めることによってＵＬ追跡信号を送信することができる。
【０２２７】
しかしながら、ＵＬ信号送信は依然として様々な問題に直面する可能性がある。例えば、送信衝突による問題があり得る。同じ無線リソースを共有する複数のＵＥが同時にＵＬ追跡信号を送信すると、衝突が発生し得る。衝突問題は、なんらかのＰＨＹ技術、すなわち直交符号を使用することによって軽減または解決され得る。あまりにも多くのＵＥが同時にＵＬ追跡信号を送信する場合、問題は持続し得る。
【０２２８】
ＵＬ信号送信についての他の問題はスケーラビリティに基づき得る。各ＵＬ追跡信号で運ばれるＵＥ固有追跡ＩＤは、構成されたエリア／ゾーン内で一意であるべきである。特に都市環境でＮＲの接続密度の目標を１００００００デバイス／ｋｍ２にすべき場合は、追跡ＩＤの範囲を考慮する必要があり得ることを理解されたい。
【０２２９】
ＵＬ信号送信についての他の問題は再構成に関する。ＵＥが構成されたエリア／ゾーンの端に移動すると、ＵＥの範囲内のＴＲＰは異なるエリア／ゾーンに属し得る。この場合、ＴＲＰがＵＬ追跡信号を受信している間に、これを復号（例えば、厳密に同期されていない）または認識（例えば、ＵＥ固有追跡ＩＤは１つのエリア／ゾーンにおいてのみ一意である）することができない。従って、ＵＥ  ＵＬ追跡信号の再構成が必要となり得る。
【０２３０】
これらの欠点を考慮して、ハイブリッドバージョンを検討することができる。具体的には、構成されたエリア／ゾーン内の構成可能なＵＥのセットが特定の無線リソースを共有する場合、異なるエリア／ゾーンからのＵＥは異なる無線リソースを使用し得る。構成されたエリア／ゾーン内のＵＥ密度が徐々に増加するにつれて、ネットワークは、ＵＥ再構成によって設定された各ＵＥのサイズを縮小することができる。異なるエリア／ゾーンが地理的に重なってもよく、場合によっては、互いに近い２つのＵＥが実際には異なるエリア／ゾーンに属してもよいことを理解されたい。このようにして、同じ構成されたエリア／ゾーンからのＵＥは、まばらに分散され、送信衝突は回避され得る。
【０２３１】
図３１に示す例示的な実施形態では、ハイブリッドＵＬ信号リソース割り当ておよび対応するネットワークページングが説明される。図３１のステップのそれぞれをアラビア数字で示す。ステップ０において、ＵＥは、以前のゾーン選択／再選択プロセスに起因して、ゾーンＡにあるように既に構成されている。次に、ｇＮＢは、ゾーンＡ内のすべてのＴＲＰ（ＴＲＰ１、ＴＲＰ２、およびＴＲＰ３）にゾーン固有ＵＬ信号リソースを割り当てる（ステップ１）。ステップ２において、ＵＥは、そのＵＬ信号リソース（例えば、時間、周波数、ビーム、直交符号など）を構成するためにシステム情報（最小限のＳＩまたは他のＳＩ）を取得する。その後、ＵＥは、そのＵＬ信号をゾーンＡ内のノード／ＴＲＰに送信する（ステップ３）。
【０２３２】
ステップ４において、ゾーンＡ内のすべてのＴＲＰがＵＬ信号を受信し、測定結果をｇＮＢに送信する。ステップ５において、コアネットワークは、ＵＥに利用可能なデータを有し、ページングメッセージをＵＥに送信する。ページングメッセージがｇＮＢによって受信されると、ｇＮＢは履歴測定結果を解析し、ページングメッセージを転送するために適切なＴＲＰを判定する。次いで、ｇＮＢはページングメッセージを選択されたＴＲＰに転送する（ステップ６）。
【０２３３】
選択されたＴＲＰは、以前に受信されたＵＬ信号に対する応答としてネットワークフィードバックをＵＥに送信する。様々な理由により、ＵＥはゾーンＢにあるように構成される（ステップ７）。その理由には、ＵＥが別の位置に移動する、またはゾーンＡ内で衝突の可能性が高い、またはネットワーク再構成／配備によりネットワーク／オペレータがゾーンの変更を要求する、またはゾーンＡ内にあるＵＥが多すぎることをＵＥ自体が検出する、ことが含まれ得るが、限定されない。この検出は、ＵＥの数が所定の値を超えたか否かの判定をもたらし得る。場合により、ゾーンＡとゾーンＢとの間になんらかの地理的重複があり得る。
【０２３４】
ステップ８において、ゾーンＡからゾーンＢへの切り替えにより、ＵＥは、異なるＵＬ信号無線リソースを使用することになる。従って、ｇＮＢはゾーンＢに対して異なる無線リソースを割り当て、詳細な割り当ての情報はゾーンＢ内のすべてのＴＲＰ（ＴＲＰ４、ＴＲＰ５、およびＴＲＰ６）に送信される。さらに、ステップ２から７は時間の経過と共に繰り返されてもよい。
【０２３５】
ＲＡＮ通知に関する別の実施形態によれば、ＮＲ  ＲＡＮは、ＲＡＮ通知エリア（ＲＮＡ）またはゾーンに分割されてもよい。これらは、１つ以上のＮＲセルからの複数のＴＲＰから構成されると想定される。ＮＲの場合、ＴＲＰによって送信されるビームのセットが、ゾーンを定義するために使用される。新しいＲＡＮ制御状態、例えば、ＲＲＣ＿ＩＮＡＣＴＩＶＥにあるＵＥは、ゾーンに対応するビームＩＤのセット、例えばＮＲモビリティセットを用いて構成され得る。
【０２３６】
ＲＲＣ＿ＩＮＡＣＴＩＶＥにあるＵＥは、ＴＲＰ／ｇＮＢによって測定され得るＵＬ追跡信号を送信する。次に、これらはＵＥの位置を追跡するために使用される。ＵＥがＵＬ追跡信号を送信する頻度は、例えば、デバイスタイプ／サービス、速度／モビリティ状態、ゾーン内のＵＥの位置などを含むいくつかの要因に依存し得る。ＵＬ追跡信号構成はゾーン依存であり得る。一実施形態では、ＵＬ追跡信号は、ランダムアクセスプリアンブルに抱き合わされた小さなデータ送信に基づくことができ、データ送信は、ＵＥ識別情報をシグナリングするために使用される。あるいは、ＵＥは、ＵＬ追跡信号を送信するために使用され得る専用の時間／周波数リソースを用いて構成され得る。
【０２３７】
ネットワークは、これらのＵＬ測定値を使用してゾーン内のＵＥを追跡し、ＵＥがあるゾーンから別のゾーンに移動しているときを判定することができる。ゾーン間を移動するとき、一例では、ネットワークは、新しいゾーンのビームに対応する新しいＮＲモビリティセットを用いてＵＥを再構成する。ネットワークはまた、新しいゾーンで使用されることになる新しいＵＬ追跡信号構成を用いてＵＥを再構成することができる。
【０２３８】
ＲＲＣ＿ＩＮＡＣＴＩＶＥにあるＵＥがページングされる必要があるとき、ＲＡＮは、ＮＲモビリティセット内のビームのセットを使用してページングメッセージを送信することができる。あるいは、ネットワークがＵＥをより正確に追跡している場合、ネットワークはまずＮＲモビリティセット内のビームのサブセットを使用してＵＥをページングすることができ、応答が受信されない場合、ＵＥは、ＮＲモビリティセット内のフルセットのビームを使用してページングされ得る。
【０２３９】
図３２は、３つのゾーンを有する例示的なネットワーク配備を示している。必要に応じて任意の数のゾーンを実装することができることが理解されよう。各ゾーンは、厳密に同期されたＴＲＰのセットに対応している。図３２はまた、ＵＥが時間と共に取り得る例示的な経路を示している。「ｔｎ」とラベル付けされた経路上の点は、所与の時間におけるＵＥの位置を示している。例えば、次のようになる。
【０２４０】
時間ｔ１では、ＵＥはゾーン１の奥深くにある。
【０２４１】
時間ｔ２では、ＵＥはゾーン１とゾーン２との間の境界にある。
【０２４２】
時間ｔ３では、ＵＥはゾーン２とゾーン３との間の境界にある。
【０２４３】
時間ｔ４では、ＵＥはゾーン３の奥深くにある。
【０２４４】
またさらなる実施形態では、図１５に示す以下のステップを実行することができる。各ステップをアラビア数字で示す。ステップ１において、ＵＥは、ゾーン１のためのＮＲモビリティセットおよびＵＬ追跡構成を用いて構成される。ＮＲモビリティセットおよびＵＬ追跡構成は、ＲＲＣＲｏｎｎｅｃｔｉｏｎＲｅｃｏｎｆｉｇｕｒａｔｉｏｎメッセージ、ＲＲＣＣｏｎｎｅｃｔｉｏｎＳｕｓｐｅｎｄメッセージ、またはＵＥとＲＡＮとの間の接続を制御するために使用される任意の他のメッセージ内のＩＥとしてシグナリングされ得る。
【０２４５】
次に、ＵＥは、ゾーン１内の１つ以上のＴＲＰによって受信されたＵＬ追跡信号を送信する。ＵＥは、ＵＬ追跡信号を周期的に送信し得る。あるいは、イベントがネットワークからＵＥにシグナリングされた基準に基づき得る場合、イベントベースのトリガリングを使用することができる。一実施形態では、ＵＥは、ＮＲモビリティセット内のビームに関連する測定値が閾値未満である場合、ＵＬ追跡信号の送信を開始する、またはＵＬ追跡信号をより頻繁に送信するように構成され得る。ＵＥ速度はまた、ＵＬ追跡信号が送信されるべきであるか否か、そしてもしそうである場合、どのレートで判定されるべきかを判定するために評価される基準の一部と見なされてもよい。
【０２４６】
デバイスタイプ／サービスはまた、ＵＬ追跡信号の送信を制御するために使用され得る。例えば、固定された低電力ｍＭＴＣデバイスは、ＵＬ追跡信号を送信するようにまったく要求されなくてもよいし、それらを極めて低頻度で送信してもよい。ＵＲ／ＬＬデバイスは、ＵＥをページングするときに高い成功率を保証するために、ネットワークによるＵＥの正確な追跡を可能にするために極めて高頻度でＵＬ追跡信号を送信するように構成されてもよい。
【０２４７】
続いてステップ３において、ゾーン１内のＴＲＰは、ＵＥの追跡測定値をｇＮＢに報告する。次いで、ｇＮＢは、ＵＥがゾーン１からゾーン２に移動していると判定し、ＵＥをゾーン２用に再構成できるようにＵＥをページングする。場合により、ネットワークがゾーンレベルでＵＥを追跡している場合、ｇＮＢは、ＮＲモビリティセット内のビームのセットを使用してページングメッセージを送信することができる（ステップ４）。あるいは、ネットワークがＵＥをより正確に追跡している場合、ｇＮＢはまずＮＲモビリティセット内のビームのサブセットを使用してＵＥをページングすることができ、応答が受信されない場合、ＵＥは、ＮＲモビリティセット内のフルセットのビームを使用してページングされ得る。
【０２４８】
次いで、ＵＥはそのページングに応じて接続を確立／再開する（ステップ６）。ＵＥは、ＲＲＣＣｏｎｎｅｃｔｉｏｎＥｓｔａｂｌｉｓｈｍｅｎｔ、ＲＲＣＣｏｎｎｅｃｔｉｏｎＲｅｓｕｍｅメッセージ、またはＵＥとＲＡＮとの間の接続を確立／再開するために使用され得る他の任意のメッセージを送信することができる。ステップ６において、ｇＮＢは、ゾーン２に対するＮＲモビリティセットおよびＵＬ追跡構成を用いてＵＥを再構成する。ＮＲモビリティセットおよびＵＬ追跡構成は、上記のようにＵＥにシグナリングされ得る。ステップ７において、ＵＥは、ゾーン２内の１つ以上のＴＲＰによって受信されたＵＬ追跡信号を送信する。ＵＬ追跡信号の送信は、ステップ２に記載されるように制御され得る。
【０２４９】
その後、ゾーン２内のＴＲＰは、ＵＥの追跡測定値をｇＮＢに報告する（ステップ８）。ステップ７において、ｇＮＢは、ＵＥがゾーン２からゾーン３に移動していると判定し、ＵＥをゾーン３用に再構成できるようにＵＥをページングする。ｇＮＢは、ステップ４で説明したようにＵＥをページングすることができる。次に、ＵＥはそのページングに応じて接続を確立／再開する。ステップ５で説明したように、ＵＥは接続を確立／再開することができる。
【０２５０】
ステップ１１において、ｇＮＢは、ゾーン３のためのＮＲモビリティセットおよびＵＬ追跡構成を用いてＵＥを再構成する。ＮＲモビリティセットおよびＵＬ追跡構成は、ステップ１で説明したようにＵＥにシグナリングされ得る。次に、ステップ１２において、ＵＥは、ゾーン３内の１つ以上のＴＲＰによって受信されたＵＬ追跡信号を送信する。ＵＬ追跡信号の送信は、ステップ２に記載されるように制御され得る。その後、ゾーン３内のＴＲＰは、ＵＥの追跡測定値をｇＮＢに報告する（ステップ１３）。次いで、ｇＮＢは、ゾーン２内のＵＥをページングして、移動局着呼（ＭＴ）を確立する。ｇＮＢは、ステップ４で説明したようにＵＥをページングすることができる（ステップ１４）。ＵＥはそのページングに応じて接続を確立／再開する（ステップ１５）。ＵＥは、ステップ５で説明したように、接続を確立／再開することができる。最後に、データがＵＥとｇＮＢとの間で転送される（ステップ１６）。
【０２５１】
本出願によれば、本明細書に記載のシステム、方法、およびプロセスのいずれかまたはすべては、コンピュータ可読記憶媒体に記憶されたコンピュータ実行可能命令、例えばプログラムコードの形で実施され、この命令は、コンピュータ、サーバ、Ｍ２Ｍ端末装置、Ｍ２Ｍゲートウェイ装置、トランジット装置などのマシンによって実行された場合、本明細書に記載のシステム、方法およびプロセスをプロセッサに実行および／または実装させ得ることが理解されよう。具体的には、上記のステップ、動作、または機能のいずれも、そのようなコンピュータ実行可能命令の形で実装され得る。コンピュータ可読記憶媒体は、情報を記憶するための任意の方法または技術で実装される揮発性および不揮発性、取り外し可能および固定式の媒体を含むが、そのようなコンピュータ可読記憶媒体は信号を含まない。コンピュータ可読記憶媒体は、ＲＡＭ、ＲＯＭ、ＥＥＰＲＯＭ、フラッシュメモリ、もしくは他のメモリ技術、ＣＤ−ＲＯＭ、デジタル多用途ディスク（ＤＶＤ）、もしくは他の光ディスク記憶装置、磁気カセット、磁気テープ、磁気ディスク記憶装置、もしくは他の磁気記憶装置、または所望の情報を記憶するために使用することができ、コンピュータによってアクセスされ得る任意の他の物理的媒体を含むがこれらに限定されない。
【０２５２】
本出願のさらに別の態様によれば、コンピュータ可読または実行可能命令を記憶するための非一時的コンピュータ可読または実行可能記憶媒体が開示される。本媒体は、図１０、図１２、図１４、図１７、図２３、図２５、図２９〜図３１、および図３３による、複数のコールフローにおいて上で開示したような１つ以上のコンピュータ実行可能命令を含み得る。コンピュータ実行可能命令は、メモリに記憶され、図１Ｃおよび図１Ｆにおいて上で開示されたプロセッサによって実行されてもよく、例えば基地局およびエンドユーザ機器などのノードを含むデバイスで使用されてもよい。特に、例えば図１Ｂおよび図１Ｅに示されるようなＵＥは、ネットワーク内のある間隔においてアクティブビームフォーミングトレーニングの命令を実行するように構成され、命令は、（ｉ）間隔における複数のビームのそれぞれについてのビームフォーミングトレーニング信号およびビーム識別情報を新しい無線ノードから受信する命令と、（ｉｉ）複数のビームのビームフォーミングトレーニング信号に基づいて新しい無線ノードの最適送信ビームを判定する命令と、（ｉｉｉ）間隔における最適送信ビームのビーム識別情報と装置の識別情報とを含む信号を新しい無線ノードに送信する命令と、（ｉｖ）間隔における新しい無線機からの判定に基づくビーム識別情報を含む、装置のための最適送信ビームを新しい無線ノードから受信する命令と、を含む。
【０２５３】
本出願の別の態様では、装置が、ｎｅｗ  ｒａｄｉｏにおけるアップリンク信号リソース割り当てのために内部に記憶された命令を含むプロセッサを備え、命令は、（ｉ）ネットワーク上のゾーンからゾーン内の複数のノードのアップリンク信号リソース割り当てを含むシステム情報を受信する命令と、（ｉｉ）受信したシステム情報に基づいてアップリンク信号を構成する命令と、（ｉｉｉ）構成されたアップリンク信号をゾーン内の複数のノードに送信する命令と、（ｉｖ）ネットワーク上のルータによって選択された複数のノードのうちの１つ以上から、ネットワークフィードバックを含むページングメッセージを受信する命令と、を含む。
【０２５４】
本出願のさらに別の態様では、装置が、ｎｅｗ  ｒａｄｉｏにおける参照信号構成のために内部に記憶された命令を含むプロセッサを備え、命令は、（ｉ）装置において、ユーザ機器のためのチャネル状態情報参照信号のサポートされた構成がないことを判定する命令と、（ｉｉ）ｎｅｗ  ｒａｄｉｏにおける新しい無線ノードに、ユーザ機器のチャネル状態参照信号の要求を送信する命令と、（ｉｉｉ）ｎｅｗ  ｒａｄｉｏにおける新しい無線ノードから、ＵＥのためのサポートされた構成を受信する命令と、を含む。
【０２５５】
現在具体的な態様であると考えられているものに関してシステムおよび方法を説明してきたが、本出願は開示された態様に限定される必要はない。特許請求の範囲の趣旨および範囲内に含まれる様々な修正および類似の構成を網羅することが意図されており、その範囲は、そのようなすべての修正および類似の構造を包含するように最も広い解釈に従うべきである。本開示は、以下の特許請求の範囲のありとあらゆる態様を含む。
【図１Ａ】
2019528620.tif 000015
【図１Ｂ】
2019528620.tif 000016
【図１Ｃ】
2019528620.tif 000017
【図１Ｄ】
2019528620.tif 000018
【図１Ｅ】
2019528620.tif 000019
【図１Ｆ】
2019528620.tif 000020
【図２】
2019528620.tif 000021
【図３】
2019528620.tif 000022
【図４Ａ】
2019528620.tif 000023
【図４Ｂ】
2019528620.tif 000024
【図４Ｃ】
2019528620.tif 000025
【図５】
2019528620.tif 000026
【図６】
2019528620.tif 000027
【図７Ａ】
2019528620.tif 000028
【図７Ｂ】
2019528620.tif 000029
【図８】
2019528620.tif 000030
【図９】
2019528620.tif 000031
【図１０】
2019528620.tif 000032
【図１１】
2019528620.tif 000033
【図１２】
2019528620.tif 000034
【図１３】
2019528620.tif 000035
【図１４】
2019528620.tif 000036
【図１５】
2019528620.tif 000037
【図１６Ａ】
2019528620.tif 000038
【図１６Ｂ】
2019528620.tif 000039
【図１７】
2019528620.tif 000040
【図１８】
2019528620.tif 000041
【図１９】
2019528620.tif 000042
【図２０】
2019528620.tif 000043
【図２１】
2019528620.tif 000044
【図２２】
2019528620.tif 000045
【図２３】
2019528620.tif 000046
【図２４】
2019528620.tif 000047
【図２５】
2019528620.tif 000048
【図２６】
2019528620.tif 000049
【図２７】
2019528620.tif 000050
【図２８】
2019528620.tif 000051
【図２９】
2019528620.tif 000052
【図３０】
2019528620.tif 000053
【図３１】
2019528620.tif 000054
【図３２】
2019528620.tif 000055
【図３３】
2019528620.tif 000056
【手続補正書】
【提出日】平成31年4月9日(2019.4.9)
【手続補正１】
【補正対象書類名】特許請求の範囲
【補正対象項目名】全文
【補正方法】変更
【補正の内容】
【特許請求の範囲】
【請求項１】
プロセッサと、
前記プロセッサに動作可能に結合された非一時的メモリであって、前記非一時的メモリが、前記プロセッサによって実行された場合に、
シンボルタイミングおよびサブフレームタイミングを取得するために、ネットワークノードの第１のビームフォーミングトレーニング参照信号（ＢＴ−ＲＳ）および物理報知チャネル（ＰＢＣＨ）を監視するステップであって、前記ＰＢＣＨの共通部分がビームＩＤを含む、ステップと、
無線リソース制御（ＲＲＣ）接続を確立するために、前記ビームＩＤに基づいて生成された固有トレーニング系列を有するビームＩＤフィードバックを前記ネットワークノードに送信するステップと、
ビームフォーミングトレーニングを実行するために、前記ネットワークノードから第２のＢＴ−ＲＳを受信するステップであって、
前記第２のＢＴ−ＲＳのリソースが前記ＲＲＣ接続を介してＲＲＣメッセージによって構成される、ステップと、
を前記プロセッサに実行させる実行可能命令を記憶する、非一時的メモリと、
を備える、無線通信のための装置。
【請求項２】
前記プロセッサが、前記ネットワークノードからダウンリンク制御情報（ＤＣＩ）を受信するようにさらに構成され、
前記ビームフォーミングトレーニングが、前記ＤＣＩによってトリガされ、
前記ビームフォーミングトレーニングが、オンデマンドビームフォーミングトレーニングである、請求項１に記載の装置。
【請求項３】
前記ＤＣＩが、前記装置のＩＤ、スイープするビームの数、ビームのＩＤ、前記ネットワークノードのビームフォーミングトレーニング制御チャネルのビームスイーピングパターン、アップリンク専用リソース、グループＩＤ、ビームトレーニング参照信号送信パターン、およびダウンリンクリソースのうちの１つ以上を運ぶ、請求項２に記載の装置。
【請求項４】
前記第２のＢＴ−ＲＳが半永続的または非周期的となるように構成される、請求項１に記載の装置。
【請求項５】
前記プロセッサが、前記ネットワークノードに送信された前記ビームＩＤに関連付けられているビームを介して前記第２のＢＴ−ＲＳを受信する命令を実行するようにさらに構成される、請求項１に記載の装置。
【請求項６】
前記プロセッサが、前記ネットワークノードの前記ビームを介してデータパケットを送信する命令を実行するようにさらに構成される、請求項５に記載の装置。
【請求項７】
前記プロセッサが、前記ＰＢＣＨを復号する命令を実行するようにさらに構成される、請求項１に記載の装置。
【請求項８】
前記プロセッサが、前記第１のＢＴ−ＲＳに基づいて、アップリンクのための前記ネットワークノードの最適な送信ビームを判定する命令を実行するようにさらに構成される、請求項１に記載の装置。
【請求項９】
前記プロセッサが、シンボルのビームを通して前記第１のＢＴ−ＲＳをスイープする命令を実行するようにさらに構成される、請求項１に記載の装置。
【請求項１０】
スイープする、前記命令は、アップリンク共通チャネル上で実行される、請求項９に記載の装置。
【請求項１１】
前記ビームフォーミングトレーニングの間隔が、１対１ビームフォーミングトレーニングを示す前記ＤＣＩを含む、請求項２に記載の装置。
【請求項１２】
無線通信のための装置であって、前記装置が、
プロセッサと、
前記プロセッサに動作可能に結合された非一時的メモリであって、前記非一時的メモリが、前記プロセッサによって実行された場合に、
シンボルタイミングおよびサブフレームタイミングを取得するために、第１のビームフォーミングトレーニング参照信号（ＢＴ−ＲＳ）および物理報知チャネル（ＰＢＣＨ）をユーザ機器（ＵＥ）に送信するステップであって、前記ＰＢＣＨの共通部分がビームＩＤを含む、ステップと、
前記ＵＥとの無線リソース制御（ＲＲＣ）接続を確立するために、前記ビームＩＤに基づいて生成された固有トレーニング系列を有するビームＩＤフィードバックを前記ＵＥから受信するステップと、
ビームフォーミングトレーニングを実行するために、第２のＢＴ−ＲＳを前記ＵＥに送信するステップであって、
前記第２のＢＴ−ＲＳのリソースが前記ＲＲＣ接続を介してＲＲＣメッセージによって構成される、ステップと、
を含む動作を前記プロセッサに実現させる実行可能命令を記憶する、非一時的メモリと、
を備える、装置。
【請求項１３】
前記ビームフォーミングトレーニングが、オンデマンドビームフォーミングトレーニングである、請求項１２に記載の装置。
【請求項１４】
前記プロセッサが、ダウンリンク制御情報（ＤＣＩ）を前記ＵＥに送信する命令を実行するようにさらに構成され、
前記ビームフォーミングトレーニングが、前記ＤＣＩによってトリガされる、請求項１２に記載の装置。
【請求項１５】
前記ＤＣＩが、前記ＵＥのＩＤ、スイープするビームの数、前記ビームのＩＤ、前記装置のビームフォーミングトレーニング制御チャネルのビームスイーピングパターン、アップリンク専用リソース、グループＩＤ、ビームトレーニング参照信号送信パターン、およびダウンリンクリソースのうちの１つ以上を運ぶ、請求項１４に記載の装置。
【請求項１６】
前記第２のＢＴ−ＲＳが半永続的または非周期的となるように構成される、請求項１２に記載の装置。
【請求項１７】
前記プロセッサが、前記ビームＩＤに関連付けられているビームを介して前記第２のＢＴ−ＲＳを前記ＵＥに送信する命令を実行するようにさらに構成される、請求項１２に記載の装置。
【請求項１８】
前記プロセッサが、前記ＵＥから前記ビームを介してデータパケットを受信する命令を実行するようにさらに構成される、請求項１７に記載の装置。
【請求項１９】
前記プロセッサが、前記第１のＢＴ−ＲＳに基づいて、アップリンクのための前記装置の、判定された最適な送信ビームを前記ＵＥから受信する命令を実行するようにさらに構成される、請求項１２に記載の装置。
【請求項２０】
前記ビームフォーミングトレーニングの間隔が、アップリンク共通チャネルに先行するガード時間と、前記ガード時間に先行するＤＣＩと、を含む、請求項１２に記載の装置。
【国際調査報告】
2019528620.tif 000057
2019528620.tif 000058
2019528620.tif 000059
2019528620.tif 000060